(57)【要約】  本発明は送信パワー取得方法、チャネル品質/干渉強度測定方法及びシステムを開示した。ここで、チャネル品質測定方法は無線通信システムにおけるチャネル品質情報を測定することに用い、具体的には、基地局がダウンリンクチャネルを介して周波数パーティションで参照信号を送信し、端末がこの参照信号を介して周波数パーティションのチャネル品質情報を測定することを含む。本発明によれば、基地局が各周波数パーティションの送信パワーに応じてダウンリンクチャネルを介して各周波数パーティションで参照信号を送信し、端末が参照信号を介して各周波数パーティションのチャネル品質情報を測定し、これで端末で測定したチャネル品質情報の正確度を向上させる。【選択図】図２
2013503521.tif 000002
【特許請求の範囲】
【請求項１】
無線通信システムにおけるチャネル品質情報を測定することに用いるチャネル品質測定方法であって、
基地局がダウンリンクチャネルを介して周波数パーティションでの参照信号を送信し、端末が前記参照信号を介して前記周波数パーティションのチャネル品質情報を測定するようになることを含むことを特徴とする方法。
【請求項２】
前記周波数パーティションは周波数パーティション集合における１つ又は複数の周波数パーティションを含むことを特徴とする請求項１に記載の方法。
【請求項３】
前記基地局により確定されることと、
上層ネットワークエレメントにより確定されて前記基地局に通知することと、
所定配置により確定されることとの中の１つによって前記周波数パーティションを確定することを特徴とする請求項２に記載の方法。
【請求項４】
前記基地局がダウンリンクチャネルを介して前記周波数パーティションで前記参照信号を送信することは、
前記基地局がダウンリンクチャネルを介して、前記周波数パーティションの所定副搬送波で前記参照信号を送信することを含むことを特徴とする請求項２に記載の方法。
【請求項５】
前記基地局により確定されることと、
上層ネットワークエレメントにより確定されて前記基地局に通知することと、
所定配置により確定されることとの中の１つによって前記所定副搬送波を確定することを特徴とする請求項４に記載の方法。
【請求項６】
前記上層ネットワークエレメントは、基地局、中継設備、基地局制御器、アクセスサービスネットワーク、接続サービスネットワーク、コアネットワーク、コアネットワークゲートウェイの１つを含むことを特徴とする請求項３又は５に記載の方法。
【請求項７】
前記基地局が前記周波数パーティションの前記所定副搬送波で前記参照信号を送信することは、
前記基地局が前記周波数パーティションの送信パワーに応じて、前記所定副搬送波の送信パワーを確定することと、
前記基地局が確定した前記送信パワーを用いて前記所定副搬送波で前記参照信号を送信することとを含むことを特徴とする請求項４に記載の方法。
【請求項８】
前記基地局が前記周波数パーティションの送信パワーに応じて、前記所定副搬送波の送信パワーを確定することは、
前記周波数パーティションの送信パワーが高いほど、確定した前記所定副搬送波の送信パワーが高いことを含むことを特徴とする請求項７に記載の方法。
【請求項９】
前記所定副搬送波の送信パワーと前記周波数パーティションの副搬送波の平均送信パワーとが同一であり又は所定値の差があることを特徴とする請求項８に記載の方法。
【請求項１０】
前記基地局がダウンリンクチャネルを介して周波数パーティションで送信した前記参照信号の内容及び構成は前記基地局と前記端末により予め確定され又はプリセットにより配置されることを特徴とする請求項１〜５、７〜９のいずれかに記載の方法。
【請求項１１】
前記基地局が前記参照信号を送信した後、前記方法は更に、
前記端末が前記参照信号を測定して前記周波数パーティションのチャネル品質情報を取得することを含むことを特徴とする請求項１０に記載の方法。
【請求項１２】
前記チャネル品質情報は、
受信信号強度指示情報と、
干渉測定値と、
信号と干渉及び雑音の比と、
信号と干渉の比と、
信号と雑音の比と、
周波数スペクトル効率と、
チャネル品質に関する測定値との少なくとも１つを含むことを特徴とする請求項１１に記載の方法。
【請求項１３】
基地局は、時間領域で１つ又は複数の符号を含み、周波数領域で１つ又は複数の周波数パーティションでの副搬送波を含む所定時間周波数リソースで、何れかの情報も送信しないことと、
前記所定時間周波数リソースでの信号を測定することによって、端末が前記１つ又は複数の周波数パーティションでの干渉強度を取得することと、
を含むことを特徴とする干渉強度測定方法。
【請求項１４】
前記端末が前記基地局をサービス基地局とする１つの端末又は複数の端末を含むことを特徴とする請求項１３に記載の方法。
【請求項１５】
前記所定時間周波数リソースは、
前記基地局により確定されることと、
上層ネットワークエレメントにより確定されて前記基地局に通知することと、
所定配置により確定されることとの１つにより確定されることを特徴とする請求項１３に記載の方法。
【請求項１６】
前記上層ネットワークエレメントは、基地局、中継設備、基地局制御器、アクセスサービスネットワーク、接続サービスネットワーク、コアネットワーク、コアネットワークゲートウェイの１つを含むことを特徴とする請求項１５に記載の方法。
【請求項１７】
異なる基地局が同一な前記周波数パーティションでの前記所定時間周波数リソースが異なっていることを特徴とする請求項１５に記載の方法。
【請求項１８】
端末が周波数パーティションの送信パワー配置情報を取得するための送信パワー取得方法であって、
基地局がダウンリンクチャネルを介して周波数パーティションの送信パワー配置情報を端末に通知することを含むことを特徴とする方法。
【請求項１９】
前記周波数パーティションが周波数パーティション集合における１つ又は複数の周波数パーティションを含むことを特徴とする請求項１８に記載の方法。
【請求項２０】
前記基地局が前記送信パワー配置情報を前記端末に通知することは、
前記基地局が前記配置情報をシグナルに含めて前記端末に送信することを含むことを特徴とする請求項１９に記載の方法。
【請求項２１】
前記基地局が前記送信パワー配置情報を前記端末に通知することは、
前記基地局が前記端末に前記周波数パーティションの送信パワーのインデックス情報を送信し、ここで、前記インデックス情報が前記周波数パーティションの送信パワー配置情報における周波数パーティションでの送信パワー配置インデックステーブルにおける位置を指示し、前記送信パワー配置インデックステーブルが前記基地局及び前記端末に保存されることを含むことを特徴とする請求項１９に記載の方法。
【請求項２２】
前記基地局が前記指示情報を前記端末に通知することは、
前記基地局が前記端末にプリセットシグナルを送信することと、
前記端末が予め保存したプリセットシグナルと前記周波数パーティションの送信パワー配置情報との対応関係に応じて、受信した前記プリセットシグナルに対応する前記周波数パーティションの送信パワー配置情報を取得することとを含むことを特徴とする請求項１９に記載の方法。
【請求項２３】
前記プリセットシグナルは、基地局の識別情報、セクターの識別情報、発展型副前置きの識別子情報の１つを含むことを特徴とする請求項２２に記載の方法。
【請求項２４】
前記基地局が前記送信パワー配置情報を前記端末に通知した後、前記方法は更に、
前記端末が前記通知に応じて、前記周波数パーティションの送信パワー配置情報を取得することを含むことを特徴とする請求項１８に記載の方法。
【請求項２５】
ダウンリンクチャネルを介して周波数パーティションで参照信号を送信するための基地局と、
前記参照信号を受信し、そして前記参照信号に応じて前記周波数パーティションのチャネル品質情報を測定するための端末と、
を含むことを特徴とするチャネル品質測定システム。
【請求項２６】
基地局であって、前記基地局をサービス基地局とする端末に、時間領域で１つ又は複数の符号を含む、周波数領域で１つ又は複数の周波数パーティションでの副搬送波を含む所定時間周波数リソースで前記基地局以外の他の基地局からの信号のみを受信させるように、前記所定時間周波数リソースで何れかの内容も送信しない基地局と、
前記所定時間周波数リソースでの信号を測定し、前記１つ又は複数の周波数パーティションでの干渉強度を取得するための前記端末と、
を含むことを特徴とする干渉強度測定システム。
【請求項２７】
ダウンリンクチャネルを介して周波数パーティションの送信パワー配置情報を端末に通知するための基地局と、
基地局が送信した通知を受信し、そして前記通知に応じて前記周波数パーティションの送信パワー配置情報を取得するための前記端末と、
を含むことを特徴とする送信パワー取得システム。
【発明の詳細な説明】
【技術分野】
【０００１】
本発明は移動通信技術分野に関し、特に、送信パワー取得方法、チャネル品質/干渉強度測定方法及びシステムに関する。
【背景技術】
【０００２】
無線通信システムでは、基地局とは端末にサービスを提供する設備であり、基地局はアップ/ダウンリンクを介して端末と通信を行い、ダウンリンク又は前方向とは基地局から端末までの方向であり、アップリンク又は逆方向とは端末から基地局までの方向である。複数の端末は同時にアップリンクを介して基地局にデータを送信でき、ダウンリンクを介して同時に基地局からデータを受信することもできる。
【０００３】
基地局によるスケジューリング制御のデータ伝送システムでは、システムのすべてのリソースのスケジューリング配布は通常、基地局によって行い、例えば、基地局がダウンリンク伝送を行う時のリソース配布状態及び端末がアップリンク伝送を行う時に用いられるリソース状態等、これらはいずれも基地局によってスケジューリング配布を行う。
【０００４】
直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭと略称）システムでは、基地局は異なる端末と同一セル内でダウンリンクデータ伝送を行う場合に、これらダウンリンクが互いに直交するため、セル内干渉を避けることができる。しかしながら、異なるセルの間のダウンリンクが直交ではない可能性があるため、各端末が他の相隣セル基地局のダウンリンク干渉を受ける可能性があり、即ちセル間干渉である。
【０００５】
セル間干渉のシステム性能に対する影響を低減することはセルラーシステムデザインの重要な目標であり、セル間の干渉が深刻であると、システム容量を低減し、特にセル境界ユーザの伝送能力を低減し、更に、システムのカバー能力及び端末の性能に影響を与える。セル間干渉を克服するために、部分周波数リユース技術（Ｆｒａｃｔｉｏｎａｌ  Ｆｒｅｑｕｅｎｃｙ  Ｒｅｕｓｅ、ＦＦＲと略称）を用い、異なる副搬送波パワーレベルのリソースを相応端末に配布し、これでセル間干渉強度を低減する。
【０００６】
図１は相隣する３つのセクターの周波数リソース配布方式及び各周波数パーティション（Ｆｒｅｑｕｅｎｃｙ  Ｐａｒｔｉｔｉｏｎ、ＦＰと略称）の送信パワー制限情況の模式図である。図１に示すように、ＦＦＲの主な原理は以下の通りである。
【０００７】
まず、使用可能な周波数リソースがＮ（Ｎがゼロより大きい整数である）つのＦＰに分けられ、仮にＮ＝４となり、即ち使用可能な周波数リソースが[ＦＰ１、ＦＰ２、ＦＰ３、ＦＰ４]に分けられる。ここで、ＦＰ２、ＦＰ３、ＦＰ４の周波数リユース因数が３（即ちＲｅｕｓｅ３、Ｒｅｕｓｅ１/３とも称する）であり、ＦＰ２、ＦＰ３、ＦＰ４における周波数リソースが３つの相隣セクターの１つのセクターに配布されるが、他の２つのセクターがこの周波数リソースを使用できず又はこの周波数リソースを制限する副搬送波送信パワーの方法を用いてこの周波数リソースを使用する。ＦＰ１周波数リユース因数が１（即ちＲｅｕｓｅ１）であり、３つの相隣セクターがいずれもこの周波数リソースを使用できる。
【０００８】
そして、各端末が各ＦＰのチャネル品質（例えば、各ＦＰの平均信号と干渉及び雑音との比ＳＩＮＲ、又は各ＦＰの干渉測定値）を測定することによって、基地局にＭ（Ｍ≧１）つのＦＰのチャネル品質情報をフィードバックする。
【０００９】
最後に、基地局は端末が報告したＦＰのチャネル品質情報情況に応じて端末にリソースを配布する。
【００１０】
前記記載によれば、基地局は各端末の各ＦＰでのチャネル品質情報を知ってはじめて、合理的に端末にリソースを配布でき、しかしながら、関連技術では、端末が中間パイロット周波数信号を介して各周波数パーティションのチャネル品質情報を測定するが、送信パワーが異なっている周波数パーティションに対して、基地局が送信した中間パイロット周波数信号の送信パワーはいずれも同一であり、これで端末が測定して得たチャネル品質情報が十分に正確ではない。
【発明の概要】
【発明が解決しようとする課題】
【００１１】
これを鑑みて、本発明は、従来の技術では端末が各ＦＰで測定して得たチャネル品質情報が十分に正確ではない問題を解決するように、チャネル品質測定スキームを提供する。
【課題を解決するための手段】
【００１２】
本発明の一方によれば、無線通信システムにおけるチャネル品質情報を測定するためのチャネル品質測定方法を提供する。
【００１３】
本発明によるチャネル品質測定方法は、基地局がダウンリンクチャネルを介して周波数パーティションで参照信号を送信し、端末がこの参照信号を介して前記周波数パーティションのチャネル品質情報を測定するようになることを含む。
【００１４】
本発明の他方によれば、干渉強度測定方法を提供した。
【００１５】
本発明による干渉強度測定方法は、基地局が、時間領域で１つ又は複数の符号を含み、周波数領域で１つ又は複数の周波数パーティションでの副搬送波を含む所定時間周波数リソースで、何かの情報も送信しないことと、前記所定時間周波数リソースでの信号を測定することによって、端末が前記１つ又は複数の周波数パーティションでの干渉強度を取得することとを含む。
【００１６】
本発明のさらに一方によれば、端末が周波数パーティションの送信パワー配置情報を取得するための送信パワー取得方法を提供する。
【００１７】
本発明による送信パワー取得方法は、基地局がダウンリンクチャネルを介して周波数パーティションの送信パワー配置情報を端末に通知することを含む。
【００１８】
本発明のまた一方によれば、チャネル品質測定システムを提供した。
【００１９】
本発明によるチャネル品質測定システムは、基地局及び端末を含む。ここで、基地局が、ダウンリンクチャネルを介して周波数パーティションで参照信号を送信することに用いる。端末が、参照信号を受信し、そして参照信号を介して周波数パーティションのチャネル品質情報を測定することに用いる。
【００２０】
本発明のまた一方によれば、干渉強度測定システムを提供した。
【００２１】
本発明による干渉強度測定システムは、基地局及び端末を含む。ここで、基地局をサービス基地局とする端末が所定時間周波数リソースで基地局以外の他の基地局からの信号のみを受信するように、基地局は、所定時間周波数リソースで何かの内容も送信しない。ここで、所定時間周波数リソースが時間領域で１つ又は複数の符号を含み、周波数領域で１つ又は複数の周波数パーティションでの副搬送波を含む。端末は、所定時間周波数リソースでの信号を測定し、１つ又は複数の周波数パーティションでの干渉強度を取得することに用いる。
【００２２】
本発明のさらに一方によれば、送信パワー取得システムを提供した。
【００２３】
本発明による送信パワー取得システムは、基地局及び端末を含む。ここで、基地局は、ダウンリンクチャネルを介して周波数パーティションの送信パワー配置情報を端末に通知することに用いる。端末は、基地局送信の通知を受信し、そして通知に応じて周波数パーティションの送信パワー配置情報を取得することに用いる。
【００２４】
本発明の前記少なくとも１つスキームによれば、基地局が各ＦＰの送信パワーに応じてダウンリンクチャネルを介して各ＦＰで参照信号を送信し、端末が参照信号を介して各周波数パーティションのチャネル品質情報を測定するようになり、これで端末で測定したチャネル品質情報の正確度を向上させた。
【００２５】
本発明の他の特徴及び美点は後の明細書に記載し、且つ、一部的に明細書から明らかになり、又は本発明を実施することによって了解させる。本発明の目的及び他の美点は明細書、特許請求の範囲、及び図面に特に指摘した構造を介して実現して取得される。
【００２６】
図面は本発明を理解させ、明細書の一部を構成し、本発明における実施例と共に本発明を解釈させるためのものであり、本発明を不当に限定するものではない。
【図面の簡単な説明】
【００２７】
【図１】従来の技術において相隣セクターの周波数リソース配布方法及び各周波数パーティションの送信パワー制限情況の模式図である。
【図２】本発明実施例によるチャネル品質測定方法のフロー図である。
【図３】本発明実施例による干渉強度測定方法のフロー図である。
【図４】本発明実施例による送信パワー取得のフロー図である。
【図５】本発明実施例において１つの８０２．１６ｍシステムのフレーム構成模式図である。
【図６】本発明実施例において１つの８０２．１６ｍシステムがＦＦＲを有効にした後３つの相隣セクターの基地局のＦＰ区分及びパワー配置情況の模式図である。
【図７】実施例１において各基地局の各周波数パーティションが参照信号を送信する模式図である。
【図８】実施例２において各基地局の各周波数パーティションが参照信号を送信する模式図である。
【図９】ＭＩＭＯ技術とプリコード技術を用いるシステムの構成及びデータ処理フロー図である。
【図１０】実施例３において各基地局の各周波数パーティションが参照信号を送信する模式図である。
【図１１】実施例４において各基地局の各周波数パーティションが参照信号を送信する模式図である。
【図１２】実施例５において各基地局の各周波数パーティションが参照信号を送信する模式図である。
【図１３】実施例６において各基地局の各周波数パーティションが参照信号を送信する模式図である。
【図１４】実施例７において各基地局の各周波数パーティションが参照信号を送信する模式図である。
【図１５】実施例８において各基地局の各周波数パーティションが参照信号を送信する模式図である。
【図１６】実施例９において各基地局の各周波数パーティションが参照信号を送信する模式図である。
【図１７】実施例１０において各基地局の各周波数パーティションが参照信号を送信する模式図である。
【図１８】実施例１１において各基地局の各周波数パーティションが参照信号を送信する模式図である。
【図１９】実施例１２において各基地局の各周波数パーティションが参照信号を送信する模式図である。
【図２０】実施例１３において各基地局の各周波数パーティションが参照信号を送信する模式図である。
【図２１】実施例１４において各基地局の各周波数パーティションが参照信号を送信する模式図である。
【発明を実施するための形態】
【００２８】
部分周波数リユースを用いる場合に、異なる副搬送波パワーレベルのリソースを相応の端末に配布するために、基地局は、まず端末が測定した各周波数パーティションのチャネル品質情報を取得する必要となり、本発明実施例では、チャネル品質測定方法を提供し、この方法が無線通信システムにおけるチャネル品質情報を測定することに用いる。本発明実施例では、基地局がダウンリンクチャネルを介して周波数パーティションで参照信号を送信し、ここで、基地局が各周波数パーティションで参照信号を送信する送信パワーがこの周波数パーティションの送信パワー（例えば、平均送信パワー）に対応し、端末がこの参照信号を介してチャネル品質の測定を行い、これで測定したチャネル品質情報の正確度を向上させた。
【００２９】
矛盾しない場合に、本願における実施例及び実施例における特徴は互いに組み合ってもよい。
【００３０】
以下、図面に合わせて本発明の好適な実施例を説明し、理解すべくのは、ここに記載の好適な実施例が本発明の説明と解釈のみにあり、本発明を限定するものではない。
【００３１】
現在、端末が中間パイロット周波数信号を介して各周波数パーティションのチャネル品質情報を測定するが、送信パワーが異なっている周波数パーティションに対して、基地局が送信した中間パイロット周波数信号の送信パワーが同一であり、これで端末が測定して得たチャネル品質情報が十分に正確ではなく、この問題に対して、本発明実施例が３種のスキームを提供した。ここで、第１種スキームは基地局が周波数パーティションで参照信号を端末に送信し、この参照信号を介して、端末が周波数パーティションのチャネル品質情報を測定できる。第２種スキームは、端末に時間周波数リソースで他の基地局からの信号のみを受信させるように、端末のサービス基地局が１つ又は複数の周波数パーティションの所定副搬送波のこの所定時間領域で何れかの内容も送信しなく、これで前記１つ又は複数の周波数パーティションでの干渉強度を取得できる。第３種スキームは基地局が端末に１つ又は複数の周波数パーティションの送信パワーレベルの指示情報を通知し、これで、端末が各周波数パーティションの送信パワー配置を取得する。以下、この３種類の方法をそれぞれ説明する。
【００３２】
本発明実施例によれば、まずチャネル品質測定方法を提供し、この方法が無線通信システムにおけるチャネル品質を測定することに用いられる。
【００３３】
図２は本発明実施例によるチャネル品質測定方法のフロー図であり、図２に示すように、本発明実施例によるチャネル品質測定方法は主に以下のステップ（ステップＳ２０１〜ステップＳ２０３）を含む。
【００３４】
ステップＳ２０１において、基地局がダウンリンクチャネルを介して１つ又は複数の周波数パーティションで参照信号を送信し、ここで、この参照信号が端末がこの１つ又は複数の周波数パーティションのチャネル品質情報を測定することに用いられる。
【００３５】
具体的には、基地局が周波数パーティション集合のどの周波数パーティションで前記参照信号を送信するかについては、この基地局で決めてもよく、上層ネットワークエレメントによって確定してこの基地局に通知してもよく、又は、所定の標準初期配置によって確定してもよい。ここで、前記上層ネットワークエレメントは、基地局、中継設備、基地局制御器、アクセスサービスネットワーク、接続サービスネットワーク、コアネットワーク、コアネットワークゲートウェイ等の１つネットワークエレメントであることができる。
【００３６】
具体的には、端末が測定すべきのチャネル品質情報は、受信信号強度指示情報、干渉測定値、信号と干渉及び雑音との比（ＳＩＮＲ）、信号と干渉の比、信号と雑音の比、周波数スペクトル効率及び他のチャネル品質に関する測定値の少なくとも１つを含む。
【００３７】
具体的な応用では、基地局が送信した前記参照信号の内容及び構成は基地局と端末が既に知ったものであり、具体的には基地局が端末と予め協議してこの参照信号の内容及び構成を確定し、又は、この参照信号の内容及び構成が標準によって配置されてもよい。且つ、具体的な応用では、この参照信号が一種のパイロット周波数シーケンス（例えば、中間パイロット周波数）であることができる。中間パイロット周波数を用いると、中間パイロット周波数のシーケンス構成が標準によって配置してもよい。端末が中間パイロット周波数を測定して各周波数パーティションでのチャネル品質情報を取得する。
【００３８】
具体的には、基地局が前記参照信号を前記１つ又は複数の周波数パーティションの特定副搬送波で送信し、この特定副搬送波が基地局で確定されてもよく、上層ネットワークエレメントで確定して前記基地局に通知してもよく、又は、所定の標準初期配置によって確定されてもよい。同様に、前記上層ネットワークエレメントは、基地局、中継設備、基地局制御器、アクセスサービスネットワーク、接続サービスネットワーク、コアネットワーク、コアネットワークゲートウェイ等の１つネットワークエレメントであることができる。
【００３９】
具体的には、基地局が前記１つ又は複数の周波数パーティションの特定副搬送波で前記参照信号を送信する送信パワーは、各周波数パーティションの送信パワー（即ち各周波数パーティションの副搬送波の平均送信パワー）によって確定され、具体的には、ある周波数パーティションの送信パワーが高いほど、基地局がこの周波数パーティションの特定副搬送波で参照信号を送信する送信パワーが高い。
【００４０】
好ましくは、基地局が各周波数パーティションの特定副搬送波で参照信号を送信する送信パワーとこの周波数パーティションのデータ副搬送波の送信パワーとは同じでよく、又は、基地局が各周波数パーティションの特定副搬送波で参照信号を送信する送信パワーとこの周波数パーティションのデータ副搬送波の送信パワーとは一定の送信パワー差値を保持する。
【００４１】
ステップＳ２０３において、端末が前記参照信号を受信し、この参照信号を測定して前記１つ又は複数の周波数パーティションのチャネル品質情報を取得する。
【００４２】
本発明実施例によれば、干渉強度測定方法を更に提供した。
【００４３】
図３は本発明実施例による干渉強度測定方法のフロー図であり、図３に示すように、本発明実施例による干渉強度測定方法は主に以下のステップ（ステップＳ３０１〜ステップＳ３０３）を含む。
【００４４】
ステップＳ３０１において、端末に、時間領域で１つ又は複数の符号構成を含み、周波数領域で１つ又は複数の周波数パーティションでの副搬送波を含む時間周波数リソースでこの基地局以外の他の基地局からの信号のみを受信させるように、基地局は、該所定時間周波数リソースで何れかの内容も送信しない。
【００４５】
ステップＳ３０３において、前記所定時間周波数リソースでの信号を測定することによって、端末が前記１つ又は複数の周波数パーティションでの干渉強度を取得する。
【００４６】
ここで、前記端末が前記基地局をサービス基地局とする１つ端末又は複数の端末である。端末のサービス基地局が前記所定時間周波数リソースで何れかの信号も送信しないため、端末がこの時間周波数リソースで受信した信号が他の基地局からの信号であり、この信号を測定することによって、端末が対応の周波数パーティションの干渉強度を取得できる。
【００４７】
具体的には、前記所定時間周波数リソースはこのサービス基地局によって確定されてもよく、上層ネットワークエレメントによって確定されてこのサービス基地局に通知されてもよく、又は、標準初期配置によって確定されてもよい。ここで、前記上層ネットワークエレメントは、基地局、中継設備、基地局制御器、アクセスサービスネットワーク、接続サービスネットワーク、コアネットワーク、コアネットワークゲートウェイ等の１つネットワークエレメントであることができる。
【００４８】
具体的な実施プロセスにおいて、異なる基地局が同一な周波数パーティションで対応する前記所定時間周波数リソースが同一でよく、異なってもよく、好ましくは、異なる基地局が同一な周波数パーティションで対応する前記所定時間周波数リソースが異なっている。
【００４９】
本発明実施例によれば、端末が周波数パーティションの送信パワー配置を取得するための送信パワー取得方法を更に提供する。
【００５０】
図４は本発明実施例による送信パワー取得方法のフロー図であり、図４に示すように、本発明実施例による送信パワー取得方法は主に以下のステップ（ステップＳ４０１〜ステップＳ４０３）を含む。
【００５１】
ステップＳ４０１において、基地局がダウンリンクチャネルを介して１つ又は複数の周波数パーティションの送信パワー配置情報を端末に通知する。
【００５２】
ここで、前記１つ又は複数の周波数パーティションは、周波数パーティション集合の一部又は全部周波数パーティションでよい。
【００５３】
具体的な実施プロセスでは、基地局は以下の方式を介して端末に前記１つ又は複数の周波数パーティションの送信パワー配置情報を通知してもよい。
【００５４】
（１）基地局は前記１つ又は複数の周波数パーティションの送信パワー配置情報をシグナルに含めて端末に送信し、具体的には、この送信パワー配置情報に各周波数パーティションの送信パワーの絶対値が含まれてもよいし、その中の１つの周波数パーティションの送信パワーを参照パワーとし、この送信パワー配置情報にこの参照パワーの絶対値及び他の各周波数パーティションのこの送信パワーに対する相対送信パワー値が含まれてもよい。
【００５５】
（２）基地局及び端末に周波数パーティションの送信パワー配置インデックステーブルを予め保存し、このインデックステーブルではインデックス情報に応じて周波数パーティション集合における各周波数パーティションの各送信パワー配置情報を記録し、基地局が端末に前記１つ又は複数の周波数パーティションの送信パワー配置情報を通知する場合に、このインデックステーブルにおける前記１つ又は複数の周波数パーティションの送信パワー配置情報に対応するインデックス情報を端末に送信し、端末がこのインデックス情報の指示に応じて、前記１つ又は複数の周波数パーティションの送信パワー配置情報がこのインデックステーブルでの位置を取得し、これで前記１つ又は複数の周波数パーティションの送信パワー配置情報を取得する。
【００５６】
（３）基地局が端末にプリセットシグナルを送信し、端末が予め保存したプリセットシグナルと周波数パーティションの送信パワー配置情報の対応関係に応じて、受信したプリセットシグナルに対応する周波数パーティションの送信パワー配置情報を取得する。
【００５７】
ここで、前記プリセットシグナルは、基地局の識別情報（ＩＤＣｅｌｌ）、セクターの識別情報（ＳｅｇｍｅｎｔＩＤ）、発展型副前置き識別子情報（Ｓｅｃｏｎｄ  Ａｄｖａｎｃｅｄ  Ｐｒｅａｍｂｌｅ  Ｉｎｄｅｘ，ＳＡ−Ｐｒｅａｍｂｌｅ  Ｉｎｄｅｘと略称）の１つを含む。
【００５８】
ここで、前記対応関係とはプリセットシグナルと前記１つ又は複数の周波数パーティションの送信パワー配置情報との間の対応関係であり、端末がプリセットシグナルを受信して、この対応関係に応じて前記１つ又は複数の周波数パーティションの送信パワー配置情報を取得できる。
【００５９】
具体的な実施プロセスでは、端末が保存した前記対応関係は標準初期配置でよく、予め基地局と協議した後確定されてもよい。
【００６０】
ステップＳ４０３において、端末が基地局が送信した通知を受信し、この通知に応じて前記１つ又は複数の周波数パーティションの送信パワー配置情報を取得する。
【００６１】
前記３種の方法に対応し、本発明実施例が３種のシステムを提供し、それぞれ前記３種の方法を実現することに用いられる。以下、それぞれに記載する。
【００６２】
本発明実施例によれば、チャネル品質測定システムを更に提供した。
【００６３】
本発明実施例によるチャネル品質測定システムは、基地局及び端末を含む。ここで、基地局が、ダウンリンクチャネルを介して周波数パーティションで参照信号を送信することに用いる。端末が、前記参照信号を受信し、そしてこの参照信号に応じて前記周波数パーティションのチャネル品質情報を測定することに用いる。
【００６４】
本発明実施例によれば、干渉強度測定システムを更に提供した。
【００６５】
本発明実施例による干渉強度測定システムは、基地局及び端末を含む。ここで、この基地局をサービス基地局とする端末に、時間領域で１つ又は複数の符号構成を含み、周波数領域で１つ又は複数の周波数パーティションでの副搬送波を含む所定時間周波数リソースでこの基地局以外の他の基地局からの信号のみを受信させるように、基地局は、該所定時間周波数リソースで何れかの内容も送信しない。端末は、前記所定時間周波数リソースでの信号を測定し、前記１つ又は複数の周波数パーティションでの干渉強度を取得する。
【００６６】
本発明実施例によれば、送信パワー取得システムを更に提供した。
【００６７】
本発明実施例による送信パワー取得システムは、基地局及び端末を含む。ここで、基地局は、ダウンリンクチャネルを介して周波数パーティションの送信パワー配置情報を端末に通知する。端末は、前記通知を受信し、そしてこの通知に応じて前記周波数パーティションの送信パワー配置情報を取得する。
【００６８】
本発明実施例が提供した前記技術スキームを更に理解させるために、以下、具体的な実施例を介して本発明実施例が提供した技術スキームを説明する。
【００６９】
以下の実施例では、図５に示すフレーム構成及び図６に示す３つの相隣セクターの基地局のＦＰ区分及びパワー配置情況を例として説明する。
【００７０】
図５は１つの８０２．１６ｍシステムのフレーム構成模式図であり、図５に示すように、１つのスーパーフレーム（Ｓｕｐｅｒｆｒａｍｅ）が２０ｍｓであり、４つのフレーム（Ｆｒａｍｅ）を含む。１つのフレームが５ｍｓである、８つのサブフレーム（Ｓｕｂｆｒａｍｅ）を含む。１つのサブフレームはＫつのＯＦＤＭ符号（Ｓｙｍｂｏｌ）を含み、本実施例においてＫが６である。１つのＯＦＤＭ符号が周波数領域でＮ（Ｎ>＝１）つの副搬送波（Ｓｕｂｃａｒｒｉｅｒ）を含むが、Ｎつの副搬送波が更にＭつの周波数パーティション（ＦｒｅｑｕｅｎｃｙＰａｒｔｉｔｉｏｎ）に分けられる。本実施例では、仮にＭが４であり、即ちＮつの副搬送波を４つのＦＰに分けて、即ちＦＰ１、ＦＰ２、ＦＰ３及びＦＰ４。
【００７１】
図６は、１つの８０２．１６ｍシステムがＦＦＲを用いた後３つの相隣セクターの基地局ＢＳ１、ＢＳ２、ＢＳ３のＦＰ区分及びパワー配置情況の模式図である。図６に示すように、まず周波数リソースが４つのＦＰに分けられ、ここで、ＦＰ２、ＦＰ３、ＦＰ４の周波数リユース因数がＲｅｕｓｅ１/３であり、ＦＰ１の周波数リユース因数がＲｅｕｓｅ１である。ＢＳ１において［ＦＰ１、ＦＰ２、ＦＰ３、ＦＰ４］の平均副搬送波送信パワーが[Ｐｒｅｕｓｅｌ、ＰＨｉｇｈ、ＰＬｏｗ１、ＰＬｏｗ２]であり、ＢＳ２において［ＦＰ１、ＦＰ２、ＦＰ３、ＦＰ４］の平均副搬送波送信パワーが[Ｐｒｅｕｓｅｌ、ＰＬｏｗ２、ＰＨｉｇｈ、ＰＬｏｗ１]であり、ＢＳ３において［ＦＰ１、ＦＰ２、ＦＰ３、ＦＰ４］の平均副搬送波送信パワーが[Ｐｒｅｕｓｅｌ、ＰＬｏｗ１、ＰＬｏｗ２、ＰＨｉｇｈ]である。本実施例において、ＢＳ１において［ＦＰ１、ＦＰ２、ＦＰ３、ＦＰ４］の平均副搬送波送信パワーが［Ｐ０、Ｐ０、Ｐ０/２、Ｐ０/２］であり、ＢＳ２において［ＦＰ１、ＦＰ２、ＦＰ３、ＦＰ４］の平均副搬送波送信パワーが［Ｐ０、Ｐ０/２、Ｐ０、Ｐ０/２］であり、ＢＳ３において［ＦＰ１、ＦＰ２、ＦＰ３、ＦＰ４］の平均副搬送波送信パワーが［Ｐ０、Ｐ０/２、Ｐ０/２、Ｐ０］である。
【００７２】
［実施例１］
本実施例では、シングルアンテナの例で、本発明実施例が提供した前記第１種方法を説明する。
【００７３】
本実施例では、ＦＦＲを有効にした後、基地局が参照信号を送信することを介して端末がＦＰのチャネル品質情報を測定し、端末が測定して得たＦＰのチャネル品質情報を基地局にフィードバックし、基地局が受信したフィードバック情報及び既に保存した端末関連情報を介して端末にリソースを配布する。
【００７４】
ここで、ＢＳ１、ＢＳ２、ＢＳ３が送信した参照信号は端末が既に知った信号であり、且つ参照信号を送信する周期は同一でよく異なっていもよく、本実施例では、仮にＢＳ１、ＢＳ２、ＢＳ３はいずれも同一なスーパーフレーム内同一なフレーム内のサブフレームＳＦ２（Ｓｕｂｆｒａｍｅ２）の最後１つのＯＦＤＭ符号（即ち第６つ目のＯＦＤＭ符号）を用いて参照信号を送信し、図７に示すように、参照信号が具体的に占用した副搬送波位置が図７において黒色ブロックの副搬送波ＳＣ１〜ＳＣ８である。ＢＳ１、ＢＳ２、ＢＳ３が参照信号を送信するのに占用する副搬送波の送信パワーは、相応基地局のＦＰ１、ＦＰ２、ＦＰ３及びＦＰ４での平均副搬送波パワーに応じて配置される。ＢＳ１において副搬送波ＳＣ１とＳＣ２の送信パワーがＦＰ１の平均副搬送波送信パワーＰ０を参照し、即ちＰＳＣ１ｏｒＳＣ２，ＢＳ１＝（１±△１，ＢＳ１）Ｐ０、ここで、ＰＳＣ１ｏｒＳＣ２，ＢＳ１はＳＣ１とＳＣ２の送信パワーであり、△１，ＢＳ１は変動係数であり、即ち許したＰ０に対するＰＳＣ１ｏｒＳＣ２，ＢＳ１の変動大きさを反映するためものである。同様に、ＢＳ１において副搬送波ＳＣ３とＳＣ４の送信パワーがＦＰ２の平均副搬送波送信パワーＰ０を参照し、即ちＰＳＣ３ｏｒＳＣ４，ＢＳ１＝（１±△２，ＢＳ１）Ｐ０、ＢＳ１において副搬送波ＳＣ５とＳＣ６の送信パワーがＦＰ３の平均副搬送波送信パワーＰ０/２を参照し、即ちＰＳＣ５ｏｒＳＣ６，ＢＳ１＝（１±△３，ＢＳ１）Ｐ０/２、ＢＳ１において副搬送波ＳＣ７とＳＣ８の送信パワーがＦＰ４の平均副搬送波送信パワーＰ０/２を参照し、即ちＰＳＣ７ｏｒＳＣ８，ＢＳ１＝（１±△４，ＢＳ１）Ｐ０/２。本実施例では、△１，ＢＳ１、△２，ＢＳ１、△３，ＢＳ１、△４，ＢＳ１は仮に０であると、ＰＳＣ１ｏｒＳＣ２，ＢＳ１＝Ｐ０、ＰＳＣ３ｏｒＳＣ４，ＢＳ１＝Ｐ０、ＰＳＣ５ｏｒＳＣ６，ＢＳ１＝Ｐ０/２、ＰＳＣ７ｏｒＳＣ８，ＢＳ１＝Ｐ０/２となる。
【００７５】
同様に、仮にＢＳ２において副搬送波ＳＣ１〜ＳＣ８の送信パワーはＰＳＣ１ｏｒＳＣ２，ＢＳ２＝Ｐ０、ＰＳＣ３ｏｒＳＣ４，ＢＳ２＝Ｐ０/２、ＰＳＣ５ｏｒＳＣ６，ＢＳ２＝Ｐ０、ＰＳＣ７ｏｒＳＣ８，ＢＳ２＝Ｐ０/２となる。
【００７６】
同様に、仮にＢＳ３において副搬送波ＳＣ１〜ＳＣ８の送信パワーはＰＳＣ１ｏｒＳＣ２，ＢＳ３＝Ｐ０、ＰＳＣ３ｏｒＳＣ４，ＢＳ３＝Ｐ０/２、ＰＳＣ５ｏｒＳＣ６，ＢＳ３＝Ｐ０/２、ＰＳＣ７ｏｒＳＣ８，ＢＳ３＝Ｐ０となる。
【００７７】
本実施例では、仮に端末ＭＳ１のサービス基地局はＢＳ１であり、ＢＳ１がサブフレームＳＦ２（Ｓｕｂｆｒａｍｅ２）の第６つ目のＯＦＤＭ符号で参照信号を送信した後、端末ＭＳ１が副搬送波ＳＣ１〜ＳＣ８でのチャネル品質情報を測定し、ＢＳ１に特定ＦＰのチャネル品質情報をフィードバックする。ここで、特定ＦＰが基地局によりシグナルを介して端末ＭＳ１へ通知され又は端末ＭＳ１により選択して基地局ＢＳ１へ報告され、この特定ＦＰが１つ又は複数のＦＰ又は全部ＦＰを含んでよい。
【００７８】
基地局ＢＳ１、ＢＳ２、ＢＳ３がサブフレームＳＦ２の第６つ目のＯＦＤＭ符号の副搬送波ＳＣ１−ＳＣ８を用いて参照信号を送信するとともに、この符号における他の使用可能な副搬送波送信データ情報を用いてもよく、又は、基地局ＢＳ１、ＢＳ２、ＢＳ３がサブフレームＳＦ２の第６つ目のＯＦＤＭ符号の副搬送波ＳＣ１−ＳＣ８を用いて参照信号を送信するとともに、この符号における他の副搬送波が内容を送信しない。
【００７９】
具体的には、基地局ＢＳ１、ＢＳ２、ＢＳ３がサブフレームＳＦ２の第６つ目のＯＦＤＭ符号の全部使用可能な副搬送波を用いて参照信号を送信してもよい。
【００８０】
説明すべきは、参照信号の送信位置が本実施例で選択したサブフレームＳＦ２の第６つ目のＯＦＤＭ符号に限られなく、他の符号内に位置してもよく、他のダウンリンクサブフレーム内に位置してもよく、複数のＯＦＤＭ符号内に位置してもよい。
【００８１】
また、８０２．１６ｍシステムでは、参照信号を中間パイロット周波数（Ｍｉｄａｍｂｌｅ）に合わせてＦＰのチャネル品質測定を更に正確にさせてもよい。端末ＭＳ１が中間パイロット周波数を測定してＦＰのチャネルマトリックスを取得し、そして参照信号ＳＣ１〜ＳＣ８を測定してＦＰのチャネル品質情報を取得し、ＢＳ１に特定ＦＰのチャネル品質情報をフィードバックする。ここで、特定ＦＰは、基地局によりシグナルを介して端末ＭＳ１へ通知され又は端末ＭＳ１により選択されて基地局ＢＳ１へ報告されることができ、前記特定ＦＰが１つ又は複数のＦＰ又は全部ＦＰを含んでよい。
【００８２】
ここで、中間パイロット周波数（Ｍｉｄａｍｂｌｅ）とは１つのフレームにおける特定符号で送信する特定パイロット周波数シーケンスであり、受信端でチャネル測定が行われ、中間パイロット周波数の送信周期が１フレームであり、且つ中間パイロット周波数が占用したすべての副搬送波の送信パワーが同じである。中間パイロット周波数を用いて符号全体でのすべての副搬送波位置におけるチャネルを見積ることができる。
【００８３】
［実施例２］
本実施例では、シングルアンテナを例として説明する。
【００８４】
本実施例では、ＦＦＲを有効にした後、基地局が参照信号を送信することを介して端末がＦＰのチャネル品質情報を測定し、端末が測定して得たＦＰのチャネル品質情報を基地局にフィードバックし、基地局が受信したフィードバック情報及び既に保存した端末関連情報を介して端末にリソースを配布する。
【００８５】
ここで、ＢＳ１、ＢＳ２、ＢＳ３が送信した参照信号は端末が既に知った信号であり、パイロット周波数参照信号及びデータ参照信号を含む。本実施例では、参照信号の送信周期が同一であり、ＢＳ１、ＢＳ２、ＢＳ３はいずれも同一なスーパーフレーム内同一なフレーム内のサブフレームＳＦ２（Ｓｕｂｆｒａｍｅ２）の最後１つのＯＦＤＭ符号（即ち第６つ目のＯＦＤＭ符号）を用いて参照信号を送信し、図８に示すように、Ｐ１がＢＳ１のパイロット周波数参照信号であり、Ｐ２がＢＳ２のパイロット周波数参照信号であり、Ｐ３がＢＳ３のパイロット周波数参照信号であり、Ｐ１、Ｐ２、Ｐ３副搬送波の送信パワーが同一であり、データ参照信号が具体的に占用した副搬送波位置が図８において黒色ブロックの副搬送波ＳＣ１〜ＳＣ８である。ＢＳ１、ＢＳ２、ＢＳ３がデータ参照信号を送信するのに占用する副搬送波の送信パワーは相応基地局のＦＰ１、ＦＰ２、ＦＰ３及びＦＰ４での平均副搬送波パワーに応じて配置される。ＢＳ１において副搬送波ＳＣ１とＳＣ２の送信パワーがＦＰ１の平均副搬送波送信パワーＰ０を参照し、即ちＰＳＣ１ｏｒＳＣ２，ＢＳ１＝（１±△１，ＢＳ１）Ｐ０、ここで、ＰＳＣ１ｏｒＳＣ２，ＢＳ１はＳＣ１とＳＣ２の送信パワーであり、△１，ＢＳ１は変動係数であり、即ち許したＰ０に対するＰＳＣ１ｏｒＳＣ２，ＢＳ１の変動大きさを反映するためものである。同様に、ＢＳ１において副搬送波ＳＣ３とＳＣ４の送信パワーがＦＰ２の平均副搬送波送信パワーＰ０を参照し、即ちＰＳＣ３ｏｒＳＣ４，ＢＳ１＝（１±△２，ＢＳ１）Ｐ０、ＢＳ１において副搬送波ＳＣ５とＳＣ６の送信パワーがＦＰ３の平均副搬送波送信パワーＰ０/２を参照し、即ちＰＳＣ５ｏｒＳＣ６，ＢＳ１＝（１±△３，ＢＳ１）Ｐ０/２、ＢＳ１において副搬送波ＳＣ７とＳＣ８の送信パワーがＦＰ４の平均副搬送波送信パワーＰ０/２を参照し、即ちＰＳＣ７ｏｒＳＣ８，ＢＳ１＝（１±△４，ＢＳ１）Ｐ０/２。本実施例では、△１，ＢＳ１、△２，ＢＳ１、△３，ＢＳ１、△４，ＢＳ１は仮に０であると、ＰＳＣ１ｏｒＳＣ２，ＢＳ１＝Ｐ０、ＰＳＣ３ｏｒＳＣ４，ＢＳ１＝Ｐ０、ＰＳＣ５ｏｒＳＣ６，ＢＳ１＝Ｐ０/２、ＰＳＣ７ｏｒＳＣ８，ＢＳ１＝Ｐ０/２となる。
【００８６】
同様に、仮にＢＳ２において副搬送波ＳＣ１〜ＳＣ８の送信パワーはＰＳＣ１ｏｒＳＣ２，ＢＳ２＝Ｐ０、ＰＳＣ３ｏｒＳＣ４，ＢＳ２＝Ｐ０/２、ＰＳＣ５ｏｒＳＣ６，ＢＳ２＝Ｐ０、ＰＳＣ７ｏｒＳＣ８，ＢＳ２＝Ｐ０/２となる。
【００８７】
同様に、仮にＢＳ３において副搬送波ＳＣ１〜ＳＣ８の送信パワーはＰＳＣ１ｏｒＳＣ２，ＢＳ３＝Ｐ０、ＰＳＣ３ｏｒＳＣ４，ＢＳ３＝Ｐ０/２、ＰＳＣ５ｏｒＳＣ６，ＢＳ３＝Ｐ０/２、ＰＳＣ７ｏｒＳＣ８，ＢＳ３＝Ｐ０となる。
【００８８】
本実施例では、仮に端末ＭＳ１のサービス基地局はＢＳ１であり、ＢＳ１がサブフレームＳＦ２（Ｓｕｂｆｒａｍｅ２）での第６つ目のＯＦＤＭ符号で参照信号を送信した後、端末ＭＳ１がパイロット周波数参照信号Ｐ１を測定してＦＰのチャネルマトリックスを取得し、そしてデータ参照信号ＳＣ１〜ＳＣ８を測定してＦＰのチャネル品質情報を取得し、ＢＳ１に特定ＦＰのチャネル品質情報をフィードバックする。ここで、特定ＦＰが基地局によりシグナルを介して端末ＭＳ１へ通知され又は端末ＭＳ１により選択されて基地局ＢＳ１へ報告され、この特定ＦＰが１つ又は複数のＦＰ又は全部ＦＰを含んでよい。
【００８９】
且つ、本実施例では、基地局ＢＳ１がＢＳ２がパイロット周波数参照信号Ｐ２を送信する副搬送波でデータを送信しなく、基地局ＢＳ１がＢＳ３がパイロット周波数参照信号Ｐ３を送信する副搬送波でデータを送信しない。基地局ＢＳ１が参照信号を送信する符号における他の使用可能な副搬送波でデータ情報を送信し又はデータ情報を送信しない。同様に、基地局ＢＳ２とＢＳ３に対して同様な処理を用いてもよい。
【００９０】
基地局ＢＳ１、ＢＳ２、ＢＳ３がサブフレームＳＦ２の第６つ目のＯＦＤＭ符号の全部使用可能な副搬送波を用いて参照信号を送信してもよい。
【００９１】
説明すべきは、参照信号の送信位置が本実施例で選択されたサブフレームＳＦ２の第６つ目のＯＦＤＭ符号に限られなく、他のＯＦＤＭ符号内に位置してもよく、他のダウンリンクサブフレーム内に位置してもよく、複数のＯＦＤＭ符号内に位置してもよい。
【００９２】
［実施例３］
本実施例はマルチアンテナを例として説明する。
【００９３】
本実施例では、ＦＦＲを有効にした後、基地局が参照信号を送信することを介して端末がＦＰのチャネル品質情報を測定し、端末が測定して得たＦＰのチャネル品質情報を基地局にフィードバックし、基地局が受信したフィードバック情報及び既に保存した端末関連情報を介して端末にリソースを配布する。
【００９４】
本実施例では、システムが多入力多出力技術（Ｍｕｌｔｉｐｌｅ−Ｉｎｐｕｔ  Ｍｕｌｔｉｐｌｅ−Ｏｕｔｐｕｔ，ＭＩＭＯと略称）とプリコード技術（Ｐｒｅｃｏｄｅ）を用い、このシステムの構成及びデータ処理フローは図９に示すように、まず送信待ちのデータをＬ（Ｌ>＝１）つの層（ｌａｙｅｒ）に分け、そしてこのＬつのｌａｙｅｒのデータをＭＩＭＯエンコーダー（ＭＩＭＯ  ｅｎｃｏｄｅｒ）に送り、Ｍｔ（Ｍｔ>＝Ｌ）つのデータストリーム（Ｓｔｒｅａｍ）を生成し、そしてこのＭｔつのＳｔｒｅａｍをプリコーダー（Ｐｒｅｃｏｄｅｒ）に送り、最終に送信待ちデータをＮｔつのアンテナ（Ａｎｔｅｎｎａ）に映射して送信する。
【００９５】
ここで、ＢＳ１、ＢＳ２、ＢＳ３が送信した参照信号は端末が既に知った信号であり、送信周期が同一でよく異なっていてもよい。本実施例では仮にＢＳ１、ＢＳ２、ＢＳ３はいずれも同一なスーパーフレーム内同一なフレーム内のサブフレームＳＦ２（Ｓｕｂｆｒａｍｅ２）の最後１つのＯＦＤＭ符号（即ち第６つ目のＯＦＤＭ符号）を用いて参照信号を送信する。
【００９６】
以下、ＢＳ１を例として参照信号の送信プロセスを詳しく説明する。
【００９７】
ＢＳ１がまず変調符号化した後の参照信号がＬつのｌａｙｅｒに分けられ、そしてＬつのｌａｙｅｒのデータをＭＩＭＯ  ｅｎｃｏｄｅｒに送った後、ＭｔつのＳｔｒｅａｍを生成し、そしてこのＭｔつのＳｔｒｅａｍをＰｒｅｃｏｄｅｒに送り、最終に、参照信号をＮｔつのアンテナ（Ａｎｔｅｎｎａ）に映射して送信する。ここで、Ｐｒｅｃｏｄｅｒの処理プロセスはＭｔつのＳｔｒｅａｍをＰｒｅｃｏｄｅｒに送った後、基地局が既知のプリコードマトリックス集合から１つのプリコードマトリックスＰＭ−ａを選択し、且つＰＭ−ａにＭｔつのＳｔｒｅａｍをかけ、結果をＮｔつのアンテナ（Ａｎｔｅｎｎａ）に映射して送信する。ここで、基地局がプリコードマトリックスＰＭ−ａを選択する場合に標準により初期配置されたものでよく、又は基地局により無作為に選択されてもよく、そして選択したＰＭ−ａのＰＭＩシーケンス番号を端末に通知する。
【００９８】
図１０に示すように、参照信号がＮｔつの（本実施例では仮にＮｔ＝２）アンテナ（Ａｎｔｅｎｎａ）で送信され、具体的に占用した副搬送波位置が図１０において填充したブロックの副搬送波ＳＣ１〜ＳＣ１６である。ＢＳ１が参照信号を送信するのに占用する副搬送波の送信パワーはＢＳ１のＦＰ１、ＦＰ２、ＦＰ３及びＦＰ４での平均副搬送波パワーに応じて配置される。ＢＳ１において副搬送波ＳＣ１〜ＳＣ４の送信パワーがＦＰ１の平均副搬送波送信パワーＰ０を参照し、即ちＰＳＣ１〜ＳＣ４，ＢＳ１＝（１±△１，ＢＳ１）Ｐ０、ここで、ＰＳＣ１〜ＳＣ４，ＢＳ１はＳＣ１、ＳＣ２、ＳＣ３、ＳＣ４の送信パワーであり、△１，ＢＳ１はＰＳＣ１〜ＳＣ４，ＢＳ１の変動係数であり、即ち許したＰ０に対するＰＳＣ１〜ＳＣ４，ＢＳ１の変動大きさを反映するためものである。同様に、ＢＳ１において副搬送波ＳＣ５〜ＳＣ８の送信パワーがＦＰ２の平均副搬送波送信パワーＰ０を参照し、即ちＰＳＣ５〜ＳＣ８，ＢＳ１＝（１±△２，ＢＳ１）Ｐ０、ＢＳ１において副搬送波ＳＣ９〜ＳＣ１２の送信パワーがＦＰ３の平均副搬送波送信パワーＰ０/２を参照し、即ちＰＳＣ９〜ＳＣ１２，ＢＳ１＝（１±△３，ＢＳ１）Ｐ０/２、ＢＳ１において副搬送波ＳＣ１３〜ＳＣ１６の送信パワーがＦＰ４の平均副搬送波送信パワーＰ０/２を参照し、即ちＰＳＣ１３〜ＳＣ１６，ＢＳ１＝（１±△４，ＢＳ１）Ｐ０/２。本実施例では、△１，ＢＳ１、△２，ＢＳ１、△３，ＢＳ１、△４，ＢＳ１は仮に０であると、ＰＳＣ１〜ＳＣ４，ＢＳ１＝Ｐ０、ＰＳＣ５〜ＳＣ８，ＢＳ１＝Ｐ０、ＰＳＣ９〜ＳＣ１２，ＢＳ１＝Ｐ０/２、ＰＳＣ１３〜ＳＣ１６，ＢＳ１＝Ｐ０/２となる。
【００９９】
同様に、仮にＢＳ２において副搬送波ＳＣ１〜ＳＣ１６の送信パワーはＰＳＣ１〜ＳＣ４，ＢＳ２＝Ｐ０、ＰＳＣ５〜ＳＣ８，ＢＳ２＝Ｐ０/２、ＰＳＣ９〜ＳＣ１２，ＢＳ２＝Ｐ０、ＰＳＣ１３〜ＳＣ１６，ＢＳ２＝Ｐ０/２となる。
【０１００】
同様に、仮にＢＳ３において副搬送波ＳＣ１〜ＳＣ１６の送信パワーはＰＳＣ１〜ＳＣ４，ＢＳ３＝Ｐ０、ＰＳＣ５〜ＳＣ８，ＢＳ３＝Ｐ０/２、ＰＳＣ９〜ＳＣ１２，ＢＳ３＝Ｐ０/２、ＰＳＣ１３〜ＳＣ１６，ＢＳ３＝Ｐ０となる。
【０１０１】
本実施例では、仮に端末ＭＳ１のサービス基地局はＢＳ１であり、ＢＳ１がサブフレームＳＦ２（Ｓｕｂｆｒａｍｅ２）での第６つ目のＯＦＤＭ符号で参照信号を送信した後、端末ＭＳ１が副搬送波ＳＣ１〜ＳＣ１６でのチャネル品質情報を測定し、ＢＳ１に特定ＦＰのチャネル品質情報をフィードバックする。ここで、前記特定ＦＰが基地局によりシグナルを介して端末ＭＳ１へ通知され又は端末ＭＳ１により選択されて基地局ＢＳ１へ報告され、前記特定ＦＰが１つ又は複数のＦＰ又は全部ＦＰを含んでよい。
【０１０２】
基地局ＢＳ１、ＢＳ２、ＢＳ３がサブフレームＳＦ２の第６つ目のＯＦＤＭ符号の副搬送波ＳＣｌ〜ＳＣ１６を用いて参照信号を送信するとともに、この符号における他の使用可能な副搬送波を用いてデータ情報を送信してもよく、又は、基地局ＢＳ１、ＢＳ２、ＢＳ３がサブフレームＳＦ２の第６つ目のＯＦＤＭ符号の副搬送波ＳＣ１〜ＳＣ１６を用いて参照信号を送信するとともに、この符号における他の副搬送波が内容を送信しない。
【０１０３】
基地局ＢＳ１、ＢＳ２、ＢＳ３がサブフレームＳＦ２の第６つ目のＯＦＤＭ符号の全部使用可能な副搬送波を用いて参照信号を送信してもよい。
【０１０４】
説明すべきは、参照信号の送信位置が本実施例で選択したサブフレームＳＦ２の第６つ目のＯＦＤＭ符号に限られなく、他の符号内に位置してもよく、他のダウンリンクサブフレーム内に位置してもよく、複数のＯＦＤＭ符号内に位置してもよい。
【０１０５】
また、８０２．１６ｍシステムでは、参照信号を中間パイロット周波数（Ｍｉｄａｍｂｌｅ）に合わせてＦＰのチャネル品質測定を更に正確にさせてもよい。端末ＭＳ１が中間パイロット周波数を測定してＦＰのチャネルマトリックスを取得し、そして参照信号ＳＣ１〜ＳＣ１６を測定してＦＰのチャネル品質情報を取得し、ＢＳ１に特定ＦＰのチャネル品質情報をフィードバックする。ここで、前記特定ＦＰが基地局によりシグナルを介して端末ＭＳ１へ通知され又は端末ＭＳ１により選択されて基地局ＢＳ１へ報告されることができ、前記特定ＦＰが１つ又は複数のＦＰ又は全部ＦＰを含んでよい。
【０１０６】
［実施例４］
本実施例はマルチアンテナを例として説明する。
【０１０７】
本実施例では、ＦＦＲを有効にした後、基地局が参照信号を送信することを介して端末がＦＰのチャネル品質情報を測定し、端末が測定して得たＦＰのチャネル品質情報を基地局にフィードバックし、基地局が受信したフィードバック情報及び既に保存した端末関連情報を介して端末にリソースを配布する。
【０１０８】
本実施例では、システムも図９に示す構成及びデータ処理フローを用い、ここで、ＢＳ１、ＢＳ２、ＢＳ３が送信した参照信号は端末が既に知った信号であり、送信周期が同一である。本実施例では仮にＢＳ１、ＢＳ２、ＢＳ３はいずれも同一なスーパーフレーム内同一なフレーム内のサブフレームＳＦ２（Ｓｕｂｆｒａｍｅ２）の最後１つのＯＦＤＭ符号（即ち第６つ目のＯＦＤＭ符号）を用いて参照信号を送信する。
【０１０９】
以下、ＢＳ１を例として参照信号の送信プロセスを詳しく説明する。
【０１１０】
ＢＳ１がまず変調符号化した後の参照信号がＬつのｌａｙｅｒに分けられ、そしてＬつのｌａｙｅｒのデータをＭＩＭＯ  ｅｎｃｏｄｅｒに送った後、ＭｔつのＳｔｒｅａｍを生成し、そしてこのＭｔつのＳｔｒｅａｍをＰｒｅｃｏｄｅｒに送り、最終に、参照信号をＮｔつのアンテナ（Ａｎｔｅｎｎａ）に映射して送信する。ここで、Ｐｒｅｃｏｄｅｒの処理プロセスはＭｔつのＳｔｒｅａｍをＰｒｅｃｏｄｅｒに送った後、基地局がプリコードマトリックスインデックス（Ｐｒｅｃｏｄｅ  Ｍａｔｒｉｘ  Ｉｎｄｉｃａｔｉｏｎ，ＰＭＩと略称）を介して既知のプリコードマトリックス集合から１つのプリコードマトリックスＰＭ−ａを選択し、且つＰＭ−ａにＭｔつのＳｔｒｅａｍをかけ、結果をＮｔつのアンテナ（Ａｎｔｅｎｎａ）に映射して送信する。ここで、基地局がプリコードマトリックスＰＭ−ａを選択する場合に標準により初期配置されたものでよく、又は基地局により無作為に選択されてもよく、そして選択したＰＭ−ａのＰＭＩシーケンス番号を端末に通知する。
【０１１１】
参照信号がＮｔつの（本実施例では仮にＮｔ＝２）アンテナ（Ａｎｔｅｎｎａ）で送信され、具体的に占用した副搬送波位置が図１１に示すように、ここで、参照信号がパイロット周波数参照信号及びデータ参照信号を含む。ここで、Ｐ１−１がＢＳ１のアンテナ１のパイロット周波数参照信号であり、Ｐ１−２がＢＳ１のアンテナ２のパイロット周波数参照信号であり、ＢＳ１、ＢＳ２及びＢＳ３のパイロット周波数参照信号では周波数分割多重化の方式が用いられる。黒色ブロックの副搬送波ＳＣ１〜ＳＣ１６がデータ参照信号である。ＢＳ１がデータ参照信号を送信するのに占用する副搬送波の送信パワーがＢＳ１のＦＰ１、ＦＰ２、ＦＰ３及びＦＰ４での平均副搬送波パワーに応じて配置される。ＢＳ１において副搬送波ＳＣ１〜ＳＣ４の送信パワーがＦＰ１の平均副搬送波送信パワーＰ０を参照し、即ちＰＳＣ１〜ＳＣ４，ＢＳ１＝（１±△１，ＢＳ１）Ｐ０、ここで、ＰＳＣ１〜ＳＣ４，ＢＳ１はＳＣ１、ＳＣ２、ＳＣ３、ＳＣ４の送信パワーであり、△１，ＢＳ１はＰＳＣ１〜ＳＣ４，ＢＳ１の変動係数であり、即ち許したＰ０に対するＰＳＣ１〜ＳＣ４，ＢＳ１の変動大きさを反映するためものである。同様に、ＢＳ１において副搬送波ＳＣ５〜ＳＣ８の送信パワーがＦＰ２の平均副搬送波送信パワーＰ０を参照し、即ちＰＳＣ５〜ＳＣ８，ＢＳ１＝（１±△２，ＢＳ１）Ｐ０、ＢＳ１において副搬送波ＳＣ９〜ＳＣ１２の送信パワーがＦＰ３の平均副搬送波送信パワーＰ０/２を参照し、即ちＰＳＣ９〜ＳＣ１２，ＢＳ１＝（１±△３，ＢＳ１）Ｐ０/２、ＢＳ１において副搬送波ＳＣ１３〜ＳＣ１６の送信パワーがＦＰ４の平均副搬送波送信パワーＰ０/２を参照し、即ちＰＳＣ１３〜ＳＣ１６，ＢＳ１＝（１±△４，ＢＳ１）Ｐ０/２。本実施例では、△１，ＢＳ１、△２，ＢＳ１、△３，ＢＳ１、△４，ＢＳ１は仮に０であると、ＰＳＣ１〜ＳＣ４，ＢＳ１＝Ｐ０、ＰＳＣ５〜ＳＣ８，ＢＳ１＝Ｐ０、ＰＳＣ９〜ＳＣ１２，ＢＳ１＝Ｐ０/２、ＰＳＣ１３〜ＳＣ１６，ＢＳ１＝Ｐ０/２となる。
【０１１２】
同様に、仮にＢＳ２において副搬送波ＳＣ１〜ＳＣ１６の送信パワーはＰＳＣ１〜ＳＣ４，ＢＳ２＝Ｐ０、ＰＳＣ５〜ＳＣ８，ＢＳ２＝Ｐ０/２、ＰＳＣ９〜ＳＣ１２，ＢＳ２＝Ｐ０、ＰＳＣ１３〜ＳＣ１６，ＢＳ２＝Ｐ０/２となる。
【０１１３】
同様に、仮にＢＳ３において副搬送波ＳＣ１〜ＳＣ１６の送信パワーはＰＳＣ１〜ＳＣ４，ＢＳ３＝Ｐ０、ＰＳＣ５〜ＳＣ８，ＢＳ３＝Ｐ０/２、ＰＳＣ９〜ＳＣ１２，ＢＳ３＝Ｐ０/２、ＰＳＣ１３〜ＳＣ１６，ＢＳ３＝Ｐ０となる。
【０１１４】
本実施例では、仮に端末ＭＳ１のサービス基地局はＢＳ１であり、ＢＳ１がサブフレームＳＦ２（Ｓｕｂｆｒａｍｅ２）での第６つ目のＯＦＤＭ符号で参照信号を送信した後、端末ＭＳ１がパイロット周波数参照信号Ｐ１−１、Ｐ１−２を測定してＦＰのチャネルマトリックスを取得し、且つデータ参照信号ＳＣ１〜ＳＣ１６を測定してＦＰのチャネル品質情報を取得し、ＢＳ１に特定ＦＰのチャネル品質情報をフィードバックする。ここで、前記特定ＦＰが基地局によりシグナルを介して端末ＭＳ１へ通知され又は端末ＭＳ１により選択されて基地局ＢＳ１へ報告され、前記特定ＦＰが１つ又は複数のＦＰ又は全部ＦＰを含んでよい。
【０１１５】
基地局ＢＳ１はＢＳ２がパイロット周波数参照信号Ｐ２を送信する副搬送波でデータを送信しなく、基地局ＢＳ１はＢＳ３がパイロット周波数参照信号Ｐ３を送信する副搬送波でデータを送信しない。基地局ＢＳ１が参照信号を送信する符号における他の使用可能な副搬送波を用いてデータ情報を送信し又はデータ情報を送信しない。同様に、基地局ＢＳ２とＢＳ３に対して同一な処理を行なってもよい。
【０１１６】
基地局ＢＳ１、ＢＳ２、ＢＳ３がサブフレームＳＦ２の第６つ目のＯＦＤＭ符号の全部使用可能な副搬送波を用いて参照信号を送信してもよい。
【０１１７】
説明すべきは、参照信号の送信位置が本実施例で選択したサブフレームＳＦ２の第６つ目のＯＦＤＭ符号に限られなく、他のＯＦＤＭ符号内に位置してもよく、他のダウンリンクサブフレーム内に位置してもよく、複数のＯＦＤＭ符号内に位置してもよい。
【０１１８】
［実施例５］
本実施例はシングルアンテナを例として説明する。
【０１１９】
本実施例では、基地局が中間パイロット周波数を用いて参照信号を送信し、８０２．１６ｍシステムでは、中間パイロット周波数（Ｍｉｄａｍｂｌｅ）とは１つのフレームにおける特定符号で送信する特定のパイロット周波数シーケンスであり、受信端でチャネル測定を行うことに用い、例えばダウンリンクサブフレームの後ろから数えて第５つ目のサブフレームにおける（本実施例ではサブフレームＳＦ３である）第１つ目ＯＦＤＭ符号で中間パイロット周波数を送信し、且つ中間パイロット周波数の送信周期が１フレームであり、且つ中間パイロット周波数が占用したすべての副搬送波の送信パワーが同一である。中間パイロット周波数を用いて符号全体においてすべての副搬送波位置におけるチャネルを見積ることができ、これで送信端が便利に現在のチャネル情況に応じて、合理的に好適な伝送ポリシーを用いることができる。
【０１２０】
本実施例では、ＦＦＲを有効にした後、基地局がＮ（Ｎ>＝１）つの中間パイロット周波数の送信周期をあけて、中間パイロット周波数を送信するＯＦＤＭ符号を用いて参照信号（即ちこの符号が中間パイロット周波数を送信しなくて参照信号を送信する）を送信し、これによって、端末がＦＰのチャネル品質情報を測定し、端末が測定して得たＦＰのチャネル品質情報を基地局にフィードバックし、基地局が受信したフィードバック情報及び既に保存した端末関連情報を介して端末にリソースを配布する。
【０１２１】
本実施例では、ＢＳ１、ＢＳ２、ＢＳ３が送信した参照信号は端末が既に知った信号であり、サブフレームＳＦ３（Ｓｕｂｆｒａｍｅ３）の第１つ目のＯＦＤＭ符号を用いて参照信号を送信し、参照信号が具体的に占用した副搬送波位置が図１２において黒色ブロックの副搬送波ＳＣ１〜ＳＣ８に示す。ＢＳ１、ＢＳ２、ＢＳ３が参照信号を送信するのに占用する副搬送波の送信パワーは相応基地局のＦＰ１、ＦＰ２、ＦＰ３及びＦＰ４での平均副搬送波パワーに応じて配置される。ＢＳ１において副搬送波ＳＣ１とＳＣ２の送信パワーがＦＰ１の平均副搬送波送信パワーＰ０を参照し、即ちＰＳＣ１ｏｒＳＣ２，ＢＳ１＝（１±△１，ＢＳ１）Ｐ０、ここで、ＰＳＣ１ｏｒＳＣ２，ＢＳ１はＳＣ１とＳＣ２の送信パワーであり、△１，ＢＳ１はＰＳＣ１ｏｒＳＣ２，ＢＳ１の変動係数であり、即ち許したＰ０に対するＰＳＣ１ｏｒＳＣ２，ＢＳ１の変動大きさを反映するためものである。同様に、ＢＳ１において副搬送波ＳＣ３とＳＣ４の送信パワーがＦＰ２の平均副搬送波送信パワーＰ０を参照し、即ちＰＳＣ３ｏｒＳＣ４，ＢＳ１＝（１±△２，ＢＳ１）Ｐ０、ＢＳ１において副搬送波ＳＣ５とＳＣ６の送信パワーがＦＰ３の平均副搬送波送信パワーＰ０/２を参照し、即ちＰＳＣ５ｏｒＳＣ６，ＢＳ１＝（１±△３，ＢＳ１）Ｐ０/２、ＢＳ１において副搬送波ＳＣ７とＳＣ８の送信パワーがＦＰ４の平均副搬送波送信パワーＰ０/２を参照し、即ちＰＳＣ７ｏｒＳＣ８，ＢＳ１＝（１±△４，ＢＳ１）Ｐ０/２。本実施例では、△１，ＢＳ１、△２，ＢＳ１、△３，ＢＳ１、△４，ＢＳ１は仮に０であると、ＰＳＣ１ｏｒＳＣ２，ＢＳ１＝Ｐ０、ＰＳＣ３ｏｒＳＣ４，ＢＳ１＝Ｐ０、ＰＳＣ５ｏｒＳＣ６，ＢＳ１＝Ｐ０/２、ＰＳＣ７ｏｒＳＣ８，ＢＳ１＝Ｐ０/２となる。
【０１２２】
同様に、仮にＢＳ２において副搬送波ＳＣ１〜ＳＣ８の送信パワーはＰＳＣ１ｏｒＳＣ２，ＢＳ２＝Ｐ０、ＰＳＣ３ｏｒＳＣ４，ＢＳ２＝Ｐ０/２、ＰＳＣ５ｏｒＳＣ６，ＢＳ２＝Ｐ０、ＰＳＣ７ｏｒＳＣ８，ＢＳ２＝Ｐ０/２となる。
【０１２３】
同様に、仮にＢＳ３において副搬送波ＳＣ１〜ＳＣ８の送信パワーはＰＳＣ１ｏｒＳＣ２，ＢＳ３＝Ｐ０、ＰＳＣ３ｏｒＳＣ４，ＢＳ３＝Ｐ０/２、ＰＳＣ５ｏｒＳＣ６，ＢＳ３＝Ｐ０/２、ＰＳＣ７ｏｒＳＣ８，ＢＳ３＝Ｐ０となる。
【０１２４】
本実施例では、仮に端末ＭＳ１のサービス基地局はＢＳ１であり、ＢＳ１がサブフレームＳＦ３（Ｓｕｂｆｒａｍｅ３）での第１つ目のＯＦＤＭ符号で参照信号を送信した後、端末ＭＳ１が副搬送波ＳＣ１〜ＳＣ８でのチャネル品質情報を測定し、ＢＳ１に特定ＦＰのチャネル品質情報をフィードバックする。ここで、特定ＦＰが基地局によりシグナルを介して端末ＭＳ１へ通知され又は端末ＭＳ１により選択されて基地局ＢＳ１へ報告され、この特定ＦＰが１つ又は複数のＦＰ又は全部ＦＰを含んでよい。
【０１２５】
基地局ＢＳ１、ＢＳ２、ＢＳ３がサブフレームＳＦ３の第１つ目のＯＦＤＭ符号の副搬送波ＳＣ１−ＳＣ８を用いて参照信号を送信するとともに、この符号における他の使用可能な副搬送波を用いてデータ情報を送信してもよく、又は基地局ＢＳ１、ＢＳ２、ＢＳ３がサブフレームＳＦ３の第１つ目のＯＦＤＭ符号の副搬送波ＳＣ１−ＳＣ８を用いて参照信号を送信するとともに、この符号における他の副搬送波が内容を送信しない。
【０１２６】
基地局ＢＳ１、ＢＳ２、ＢＳ３がサブフレームＳＦ３の第１つ目のＯＦＤＭ符号の全部使用可能な副搬送波を用いて参照信号を送信してもよい。
【０１２７】
［実施例６］
本実施例はシングルアンテナを例として説明する。
【０１２８】
本実施例では、ＦＦＲを有効にした後、基地局がＮ（Ｎ>＝１）つの中間パイロット周波数の送信周期をあけて、中間パイロット周波数を送信するＯＦＤＭ符号を用いて参照信号（即ちこの符号が中間パイロット周波数を送信しなくて参照信号を送信する）を送信し、これによって、端末がＦＰのチャネル品質情報を測定し、端末が測定して得たＦＰのチャネル品質情報を基地局にフィードバックし、基地局が受信したフィードバック情報及び既に保存した端末関連情報を介して端末にリソースを配布する。
【０１２９】
ＢＳ１、ＢＳ２、ＢＳ３が送信した参照信号は端末が既に知った信号である。本実施例では、仮にサブフレームＳＦ３（Ｓｕｂｆｒａｍｅ３）の第１つ目のＯＦＤＭ符号を用いて参照信号を送信し、参照信号が具体的に占用した副搬送波位置が図１３に示すように、パイロット周波数参照信号及びデータ参照信号を含む。Ｐ１がＢＳ１のパイロット周波数参照信号であり、Ｐ２がＢＳ２のパイロット周波数参照信号であり、Ｐ３がＢＳ３のパイロット周波数参照信号であり、Ｐｌ、Ｐ２、Ｐ３副搬送波の送信パワーが同一であり、データ参照信号が図１３において黒色ブロック副搬送波ＳＣ１〜ＳＣ８に示す。ＢＳ１、ＢＳ２、ＢＳ３が参照信号を送信するのに占用する副搬送波の送信パワーは相応基地局のＦＰ１、ＦＰ２、ＦＰ３及びＦＰ４での平均副搬送波パワーに応じて配置される。ＢＳ１において副搬送波ＳＣ１とＳＣ２の送信パワーがＦＰ１の平均副搬送波送信パワーＰ０を参照し、即ちＰＳＣ１ｏｒＳＣ２，ＢＳ１＝（１±△１，ＢＳ１）Ｐ０、ここで、ＰＳＣ１ｏｒＳＣ２，ＢＳ１はＳＣ１とＳＣ２の送信パワーであり、△１，ＢＳ１はＰＳＣ１ｏｒＳＣ２，ＢＳ１の変動係数であり、即ち許したＰ０に対するＰＳＣ１ｏｒＳＣ２，ＢＳ１の変動大きさを反映するためものである。同様に、ＢＳ１において副搬送波ＳＣ３とＳＣ４の送信パワーがＦＰ２の平均副搬送波送信パワーＰ０を参照し、即ちＰＳＣ３ｏｒＳＣ４，ＢＳ１＝（１±△２，ＢＳ１）Ｐ０、ＢＳ１において副搬送波ＳＣ５とＳＣ６の送信パワーがＦＰ３の平均副搬送波送信パワーＰ０/２を参照し、即ちＰＳＣ５ｏｒＳＣ６，ＢＳ１＝（１±△３，ＢＳ１）Ｐ０/２、ＢＳ１において副搬送波ＳＣ７とＳＣ８の送信パワーがＦＰ４の平均副搬送波送信パワーＰ０/２を参照し、即ちＰＳＣ７ｏｒＳＣ８，ＢＳ１＝（１±△４，ＢＳ１）Ｐ０/２。本実施例では、△１，ＢＳ１、△２，ＢＳ１、△３，ＢＳ１、△４，ＢＳ１は仮に０であると、ＰＳＣ１ｏｒＳＣ２，ＢＳ１＝Ｐ０、ＰＳＣ３ｏｒＳＣ４，ＢＳ１＝Ｐ０、ＰＳＣ５ｏｒＳＣ６，ＢＳ１＝Ｐ０/２、ＰＳＣ７ｏｒＳＣ８，ＢＳ１＝Ｐ０/２となる。
【０１３０】
同様に、仮にＢＳ２において副搬送波ＳＣ１〜ＳＣ８の送信パワーはＰＳＣ１ｏｒＳＣ２，ＢＳ２＝Ｐ０、ＰＳＣ３ｏｒＳＣ４，ＢＳ２＝Ｐ０/２、ＰＳＣ５ｏｒＳＣ６，ＢＳ２＝Ｐ０、ＰＳＣ７ｏｒＳＣ８，ＢＳ２＝Ｐ０/２となる。
【０１３１】
同様に、仮にＢＳ３において副搬送波ＳＣ１〜ＳＣ８の送信パワーはＰＳＣ１ｏｒＳＣ２，ＢＳ３＝Ｐ０、ＰＳＣ３ｏｒＳＣ４，ＢＳ３＝Ｐ０/２、ＰＳＣ５ｏｒＳＣ６，ＢＳ３＝Ｐ０/２、ＰＳＣ７ｏｒＳＣ８，ＢＳ３＝Ｐ０となる。
【０１３２】
本実施例では、仮に端末ＭＳ１のサービス基地局はＢＳ１であり、ＢＳ１がサブフレームＳＦ３（Ｓｕｂｆｒａｍｅ３）での第１つ目のＯＦＤＭ符号で参照信号を送信した後、端末ＭＳ１がパイロット周波数参照信号Ｐ１を測定してＦＰのチャネルマトリックスを取得し、且つデータ参照信号ＳＣ１〜ＳＣ８を測定してＦＰのチャネル品質情報を取得し、ＢＳ１に特定ＦＰのチャネル品質情報をフィードバックする。ここで、この特定ＦＰが基地局によりシグナルを介して端末ＭＳ１へ通知され又は端末ＭＳ１により選択されて基地局ＢＳ１へ報告され、特定ＦＰが１つ又は複数のＦＰ又は全部ＦＰを含んでよい。
【０１３３】
基地局ＢＳ１はＢＳ２がパイロット周波数参照信号Ｐ２を送信する副搬送波でデータを送信しなく、基地局ＢＳ１はＢＳ３がパイロット周波数参照信号Ｐ３を送信する副搬送波でデータを送信しない。基地局ＢＳ１が参照信号を送信する符号における他の使用可能な副搬送波を用いてデータ情報を送信し又はデータ情報を送信しない。同様に、基地局ＢＳ２及びＢＳ３に適用する。
【０１３４】
基地局ＢＳ１、ＢＳ２、ＢＳ３がサブフレームＳＦ３の第１つ目のＯＦＤＭ符号の全部使用可能な副搬送波を用いて参照信号を送信してもよい。
【０１３５】
［実施例７］
本実施例ではマルチアンテナを例として説明し、且つ、本実施例では、システムが図９に示すような構成及びデータ処理フローを用いて処理を行う。
【０１３６】
本実施例では、ＦＦＲを有効にした後、基地局がＮ（Ｎ>＝１）つの中間パイロット周波数の送信周期をあけて、中間パイロット周波数を送信するＯＦＤＭ符号を用いて参照信号（即ちこの符号が中間パイロット周波数を送信しなくて参照信号を送信する）を送信し、これによって、端末がＦＰのチャネル品質情報を測定し、端末が測定して得たＦＰのチャネル品質情報を基地局にフィードバックし、基地局が受信したフィードバック情報及び既に保存した端末関連情報を介して端末にリソースを配布する。
【０１３７】
ここで、ＢＳ１、ＢＳ２、ＢＳ３が送信した参照信号は端末が既に知った信号であり、且つサブフレームＳＦ３（Ｓｕｂｆｒａｍｅ３）の第１つ目のＯＦＤＭ符号を用いて送信する。
【０１３８】
以下、ＢＳ１を例として参照信号の送信プロセスを詳しく説明する。
【０１３９】
ＢＳ１がまず変調符号化した後の参照信号がＬつのｌａｙｅｒに分けられ、そしてＬつのｌａｙｅｒのデータをＭＩＭＯ  ｅｎｃｏｄｅｒに送った後、ＭｔつのＳｔｒｅａｍを生成し、そしてこのＭｔつのＳｔｒｅａｍをＰｒｅｃｏｄｅｒに送り、最終に、参照信号をＮｔつのアンテナ（Ａｎｔｅｎｎａ）に映射して送信する。ここで、Ｐｒｅｃｏｄｅｒの処理プロセスはＭｔつのＳｔｒｅａｍをＰｒｅｃｏｄｅｒに送った後、基地局がプリコードマトリックスインデックス（Ｐｒｅｃｏｄｅ  Ｍａｔｒｉｘ  Ｉｎｄｉｃａｔｉｏｎ，ＰＭＩと略称）を介して既知のプリコードマトリックス集合から１つのプリコードマトリックスＰＭ−ａを選択し、且つＰＭ−ａにＭｔつのＳｔｒｅａｍをかけ、結果をＮｔつのアンテナ（Ａｎｔｅｎｎａ）に映射して送信する。ここで、基地局がプリコードマトリックスＰＭ−ａを選択する場合に標準により初期配置されたものでよく、又は基地局により無作為に選択されてもよく、そして選択したＰＭ−ａのＰＭＩシーケンス番号を端末に通知する。
【０１４０】
図１４に示すように、参照信号がＮｔつの（本実施例では仮にＮｔ＝２）アンテナ（Ａｎｔｅｎｎａ）で送信され、具体的に占用した副搬送波位置が図１４において黒色ブロックの副搬送波ＳＣ１〜ＳＣ１６である。ＢＳ１が参照信号を送信するのに占用する副搬送波の送信パワーはＢＳ１のＦＰ１、ＦＰ２、ＦＰ３及びＦＰ４での平均副搬送波パワーに応じて配置される。ＢＳ１において副搬送波ＳＣ１〜ＳＣ４の送信パワーがＦＰ１の平均副搬送波送信パワーＰ０を参照し、即ちＰＳＣ１〜ＳＣ４，ＢＳ１＝（１±△１，ＢＳ１）Ｐ０、ここで、ＰＳＣ１〜ＳＣ４，ＢＳ１はＳＣ１、ＳＣ２、ＳＣ３、ＳＣ４の送信パワーであり、△１，ＢＳ１はＰＳＣ１〜ＳＣ４，ＢＳ１の変動係数であり、即ち許したＰ０に対するＰＳＣ１〜ＳＣ４，ＢＳ１の変動大きさを反映するためものである。同様に、ＢＳ１において副搬送波ＳＣ５〜ＳＣ８の送信パワーがＦＰ２の平均副搬送波送信パワーＰ０を参照し、即ちＰＳＣ５〜ＳＣ８，ＢＳ１＝（１±△２，ＢＳ１）Ｐ０、ＢＳ１において副搬送波ＳＣ９〜ＳＣ１２の送信パワーがＦＰ３の平均副搬送波送信パワーＰ０/２を参照し、即ちＰＳＣ９〜ＳＣ１２，ＢＳ１＝（１±△３，ＢＳ１）Ｐ０/２、ＢＳ１において副搬送波ＳＣ１３〜ＳＣ１６の送信パワーがＦＰ４の平均副搬送波送信パワーＰ０/２を参照し、即ちＰＳＣ１３〜ＳＣ１６，ＢＳ１＝（１±△４，ＢＳ１）Ｐ０/２。本実施例では、△１，ＢＳ１、△２，ＢＳ１、△３，ＢＳ１、△４，ＢＳ１は仮に０であると、ＰＳＣ１〜ＳＣ４，ＢＳ１＝Ｐ０、ＰＳＣ５〜ＳＣ８，ＢＳ１＝Ｐ０、ＰＳＣ９〜ＳＣ１２，ＢＳ１＝Ｐ０/２、ＰＳＣ１３〜ＳＣ１６，ＢＳ１＝Ｐ０/２となる。
【０１４１】
同様に、仮にＢＳ２において副搬送波ＳＣ１〜ＳＣ１６の送信パワーはＰＳＣ１〜ＳＣ４，ＢＳ２＝Ｐ０、ＰＳＣ５〜ＳＣ８，ＢＳ２＝Ｐ０/２、ＰＳＣ９〜ＳＣ１２，ＢＳ２＝Ｐ０、ＰＳＣ１３〜ＳＣ１６，ＢＳ２＝Ｐ０/２となる。
【０１４２】
同様に、仮にＢＳ３において副搬送波ＳＣ１〜ＳＣ１６の送信パワーはＰＳＣ１〜ＳＣ４，ＢＳ３＝Ｐ０、ＰＳＣ５〜ＳＣ８，ＢＳ３＝Ｐ０/２、ＰＳＣ９〜ＳＣ１２，ＢＳ３＝Ｐ０/２、ＰＳＣ１３〜ＳＣ１６，ＢＳ３＝Ｐ０となる。
【０１４３】
本実施例では、仮に端末ＭＳ１のサービス基地局はＢＳ１であり、ＢＳ１がサブフレームＳＦ３（Ｓｕｂｆｒａｍｅ３）での第１つ目のＯＦＤＭ符号で参照信号を送信した後、端末ＭＳ１が副搬送波ＳＣ１〜ＳＣ１６でのチャネル品質情報を測定し、ＢＳ１に特定ＦＰのチャネル品質情報をフィードバックする。ここで、前記特定ＦＰが基地局によりシグナルを介して端末ＭＳ１へ通知され又は端末ＭＳ１により選択されて基地局ＢＳ１へ報告され、前記特定ＦＰが１つ又は複数のＦＰ又は全部ＦＰを含んでよい。
【０１４４】
基地局ＢＳ１、ＢＳ２、ＢＳ３がサブフレームＳＦ３の第１つ目のＯＦＤＭ符号の副搬送波ＳＣｌ〜ＳＣ１６を用いて参照信号を送信するとともに、この符号における他の使用可能な副搬送波を用いてデータ情報を送信してもよく、又は、基地局ＢＳ１、ＢＳ２、ＢＳ３がサブフレームＳＦ２の第１つ目のＯＦＤＭ符号の副搬送波ＳＣ１〜ＳＣ１６を用いて参照信号を送信するとともに、この符号において他の副搬送波が内容を送信しない。
【０１４５】
基地局ＢＳ１、ＢＳ２、ＢＳ３がサブフレームＳＦ３の第１つ目のＯＦＤＭ符号の全部使用可能な副搬送波を用いて参照信号を送信してもよい。
【０１４６】
［実施例８］
本実施例ではマルチアンテナで、且つ中間パイロット周波数を用いて参照信号を送信することを例とし説明する。且つ、本実施例では、システムが図９に示すような構成及びデータ処理フローを用いる。
【０１４７】
本実施例では、ＦＦＲを有効にした後、基地局がＮ（Ｎ>＝１）つの中間パイロット周波数の送信周期をあけて、中間パイロット周波数を送信するＯＦＤＭ符号を用いて参照信号（即ちこの符号が中間パイロット周波数を送信しなくて参照信号を送信する）を送信し、これによって、端末がＦＰのチャネル品質情報を測定し、端末が測定して得たＦＰのチャネル品質情報を基地局にフィードバックし、基地局が受信したフィードバック情報及び既に保存した端末関連情報を介して端末にリソースを配布する。
【０１４８】
ここで、ＢＳ１、ＢＳ２、ＢＳ３が送信した参照信号は端末が既に知った信号であり、且つサブフレームＳＦ３（Ｓｕｂｆｒａｍｅ３）の第１つ目のＯＦＤＭ符号を用いて送信される。
【０１４９】
以下、ＢＳ１を例として参照信号の送信プロセスを詳しく説明する。
【０１５０】
ＢＳ１がまず変調符号化した後の参照信号をＬつのｌａｙｅｒに分けられ、そしてこのＬつのｌａｙｅｒのデータをＭＩＭＯ  ｅｎｃｏｄｅｒに送った後、ＭｔつのＳｔｒｅａｍを生成し、そしてこのＭｔつのＳｔｒｅａｍをＰｒｅｃｏｄｅｒに送り、最終に、参照信号をＮｔつのアンテナ（Ａｎｔｅｎｎａ）に映射して送信する。ここで、Ｐｒｅｃｏｄｅｒの処理プロセスはＭｔつのＳｔｒｅａｍをＰｒｅｃｏｄｅｒに送った後、基地局がプリコードマトリックスインデックス（Ｐｒｅｃｏｄｅ  Ｍａｔｒｉｘ  Ｉｎｄｉｃａｔｉｏｎ，ＰＭＩと略称）を介して既知のプリコードマトリックス集合から１つのプリコードマトリックスＰＭ−ａを選択し、且つＰＭ−ａにＭｔつのＳｔｒｅａｍをかけ、結果をＮｔつのアンテナ（Ａｎｔｅｎｎａ）に映射して送信する。ここで、基地局がプリコードマトリックスＰＭ−ａを選択する場合に標準により初期配置されたものでよく、又は基地局により無作為に選択されてもよく、そして選択したＰＭ−ａのＰＭＩシーケンス番号を端末に通知する。
【０１５１】
参照信号がＮｔつの（本実施例では仮にＮｔ＝２）アンテナ（Ａｎｔｅｎｎａ）で送信され、具体的に占用した副搬送波位置が図１５に示すように、ここで、参照信号がパイロット周波数参照信号及びデータ参照信号を含む。ここで、Ｐ１−１がＢＳ１のアンテナ１のパイロット周波数参照信号であり、Ｐ１−２がＢＳ１のアンテナ２のパイロット周波数参照信号であり、ＢＳ１、ＢＳ２及びＢＳ３のパイロット周波数参照信号では周波数分割多重化の方式が用いられる。ここで、黒色ブロックの副搬送波ＳＣ１〜ＳＣ１６がデータ参照信号である。ＢＳ１が参照信号を送信するのに占用する副搬送波の送信パワーは、ＢＳ１のＦＰ１、ＦＰ２、ＦＰ３及びＦＰ４での平均副搬送波パワーに応じて配置される。ＢＳ１において副搬送波ＳＣ１〜ＳＣ４の送信パワーがＦＰ１の平均副搬送波送信パワーＰ０を参照し、即ちＰＳＣ１〜ＳＣ４，ＢＳ１＝（１±△１，ＢＳ１）Ｐ０、ここで、ＰＳＣ１〜ＳＣ４，ＢＳ１はＳＣ１、ＳＣ２、ＳＣ３、ＳＣ４の送信パワーであり、△１，ＢＳ１はＰＳＣ１〜ＳＣ４，ＢＳ１の変動係数であり、即ち許したＰ０に対するＰＳＣ１〜ＳＣ４，ＢＳ１の変動大きさを反映するためものである。同様に、ＢＳ１において副搬送波ＳＣ５〜ＳＣ８の送信パワーがＦＰ２の平均副搬送波送信パワーＰ０を参照し、即ちＰＳＣ５〜ＳＣ８，ＢＳ１＝（１±△２，ＢＳ１）Ｐ０、ＢＳ１において副搬送波ＳＣ９〜ＳＣ１２の送信パワーがＦＰ３の平均副搬送波送信パワーＰ０/２を参照し、即ちＰＳＣ９〜ＳＣ１２，ＢＳ１＝（１±△３，ＢＳ１）Ｐ０/２、ＢＳ１において副搬送波ＳＣ１３〜ＳＣ１６の送信パワーがＦＰ４の平均副搬送波送信パワーＰ０/２を参照し、即ちＰＳＣ１３〜ＳＣ１６，ＢＳ１＝（１±△４，ＢＳ１）Ｐ０/２。本実施例では、△１，ＢＳ１、△２，ＢＳ１、△３，ＢＳ１、△４，ＢＳ１は仮に０であると、ＰＳＣ１〜ＳＣ４，ＢＳ１＝Ｐ０、ＰＳＣ５〜ＳＣ８，ＢＳ１＝Ｐ０、ＰＳＣ９〜ＳＣ１２，ＢＳ１＝Ｐ０/２、ＰＳＣ１３〜ＳＣ１６，ＢＳ１＝Ｐ０/２となる。
【０１５２】
同様に、仮にＢＳ２において副搬送波ＳＣ１〜ＳＣ１６の送信パワーはＰＳＣ１〜ＳＣ４，ＢＳ２＝Ｐ０、ＰＳＣ５〜ＳＣ８，ＢＳ２＝Ｐ０/２、ＰＳＣ９〜ＳＣ１２，ＢＳ２＝Ｐ０、ＰＳＣ１３〜ＳＣ１６，ＢＳ２＝Ｐ０/２となる。
【０１５３】
同様に、仮にＢＳ３において副搬送波ＳＣ１〜ＳＣ１６の送信パワーはＰＳＣ１〜ＳＣ４，ＢＳ３＝Ｐ０、ＰＳＣ５〜ＳＣ８，ＢＳ３＝Ｐ０/２、ＰＳＣ９〜ＳＣ１２，ＢＳ３＝Ｐ０/２、ＰＳＣ１３〜ＳＣ１６，ＢＳ３＝Ｐ０となる。
【０１５４】
本実施例では、仮に端末ＭＳ１のサービス基地局はＢＳ１であり、ＢＳ１がサブフレームＳＦ３（Ｓｕｂｆｒａｍｅ３）での第１つ目のＯＦＤＭ符号で参照信号を送信した後、端末ＭＳ１がパイロット周波数参照信号Ｐ１−１、Ｐ１−２を測定してＦＰのチャネルマトリックスを取得し、且つデータ参照信号ＳＣ１〜ＳＣ１６を測定してＦＰのチャネル品質情報を取得し、ＢＳ１に特定ＦＰのチャネル品質情報をフィードバックする。ここで、前記特定ＦＰが基地局によりシグナルを介して端末ＭＳ１へ通知され又は端末ＭＳ１により選択されて基地局ＢＳ１へ報告され、前記特定ＦＰが１つ又は複数のＦＰ又は全部ＦＰを含んでよい。
【０１５５】
基地局ＢＳ１はＢＳ２がパイロット周波数参照信号Ｐ２を送信する副搬送波でデータを送信しなく、基地局ＢＳ１はＢＳ３がパイロット周波数参照信号Ｐ３を送信する副搬送波でデータを送信しない。基地局ＢＳ１が参照信号を送信する符号における他の使用可能な副搬送波を用いてデータ情報を送信し又はデータ情報を送信しない。同様に、基地局ＢＳ２とＢＳ３に対して同一な処理を行なってもよい。
【０１５６】
基地局ＢＳ１、ＢＳ２、ＢＳ３がサブフレームＳＦ３の第１つ目のＯＦＤＭ符号の全部使用可能な副搬送波を用いて参照信号を送信してもよい。
【０１５７】
［実施例９］
本実施例ではシングルアンテナで、且つ一部の中間パイロット周波数を占用して参照信号を送信することを例として説明する。
【０１５８】
８０２．１６ｍシステムでは、中間パイロット周波数（Ｍｉｄａｍｂｌｅ）とは１つのフレームにおける特定符号で送信する特定のパイロット周波数シーケンスであり、受信端でチャネル測定を行うことに用い、例えばダウンリンクサブフレームの後ろから数えて第５つ目のサブフレームにおける（本実施例ではサブフレームＳＦ３である）第１つ目ＯＦＤＭ符号で中間パイロット周波数を送信し、且つ中間パイロット周波数の送信周期が１フレームであり、且つ中間パイロット周波数が占用したすべての副搬送波の送信パワーが同一である。中間パイロット周波数を用いて符号全体においてすべての副搬送波位置におけるチャネルを見積ることができ、これで送信端が便利に現在のチャネル情況に応じて、合理的に高い効率の伝送ポリシーを用いることができる。
【０１５９】
本実施例では、ＦＦＲを有効にした後、基地局がＮ（Ｎ>＝１）つの中間パイロット周波数の送信周期をあけて、中間パイロット周波数を送信するＯＦＤＭ符号におけるある周波数リソース（即ち副搬送波）を用いて参照信号を送信し、これによって、端末がＦＰのチャネル品質情報を測定し、端末が測定して得たＦＰのチャネル品質情報を基地局にフィードバックし、基地局が受信したフィードバック情報及び既に保存した端末関連情報を介して端末にリソースを配布する。
【０１６０】
本実施例では、ＢＳ１、ＢＳ２、ＢＳ３が送信した参照信号は端末が既に知った信号であり、サブフレームＳＦ３（Ｓｕｂｆｒａｍｅ３）の第１つ目のＯＦＤＭ符号（この符号で中間パイロット周波数を送信する）において一部副搬送波を用いて参照信号を送信し、参照信号が具体的に占用した副搬送波位置が図１６において黒色ブロックの副搬送波ＳＣ１〜ＳＣ８に示す。ＢＳ１、ＢＳ２、ＢＳ３が参照信号を送信するのに占用する副搬送波の送信パワーは相応基地局のＦＰ１、ＦＰ２、ＦＰ３及びＦＰ４での平均副搬送波パワーに応じて配置される。ＢＳ１において副搬送波ＳＣ１とＳＣ２の送信パワーがＦＰ１の平均副搬送波送信パワーＰ０を参照し、即ちＰＳＣ１ｏｒＳＣ２，ＢＳ１＝（１±△１，ＢＳ１）Ｐ０、ここで、ＰＳＣ１ｏｒＳＣ２，ＢＳ１はＳＣ１とＳＣ２の送信パワーであり、△１，ＢＳ１はＰＳＣ１ｏｒＳＣ２，ＢＳ１の変動係数であり、即ち許したＰ０に対するＰＳＣ１ｏｒＳＣ２，ＢＳ１の変動大きさを反映するためものである。同様に、ＢＳ１において副搬送波ＳＣ３とＳＣ４の送信パワーがＦＰ２の平均副搬送波送信パワーＰ０を参照し、即ちＰＳＣ３ｏｒＳＣ４，ＢＳ１＝（１±△２，ＢＳ１）Ｐ０、ＢＳ１において副搬送波ＳＣ５とＳＣ６の送信パワーがＦＰ３の平均副搬送波送信パワーＰ０/２を参照し、即ちＰＳＣ５ｏｒＳＣ６，ＢＳ１＝（１±△３，ＢＳ１）Ｐ０/２、ＢＳ１において副搬送波ＳＣ７とＳＣ８の送信パワーがＦＰ４の平均副搬送波送信パワーＰ０/２を参照し、即ちＰＳＣ７ｏｒＳＣ８，ＢＳ１＝（１±△４，ＢＳ１）Ｐ０/２。本実施例では、△１，ＢＳ１、△２，ＢＳ１、△３，ＢＳ１、△４，ＢＳ１は仮に０であると、ＰＳＣ１ｏｒＳＣ２，ＢＳ１＝Ｐ０、ＰＳＣ３ｏｒＳＣ４，ＢＳ１＝Ｐ０、ＰＳＣ５ｏｒＳＣ６，ＢＳ１＝Ｐ０/２、ＰＳＣ７ｏｒＳＣ８，ＢＳ１＝Ｐ０/２となる。
【０１６１】
同様に、仮にＢＳ２において副搬送波ＳＣ１〜ＳＣ８の送信パワーはＰＳＣ１ｏｒＳＣ２，ＢＳ２＝Ｐ０、ＰＳＣ３ｏｒＳＣ４，ＢＳ２＝Ｐ０/２、ＰＳＣ５ｏｒＳＣ６，ＢＳ２＝Ｐ０、ＰＳＣ７ｏｒＳＣ８，ＢＳ２＝Ｐ０/２となる。
【０１６２】
同様に、仮にＢＳ３において副搬送波ＳＣ１〜ＳＣ８の送信パワーはＰＳＣ１ｏｒＳＣ２，ＢＳ３＝Ｐ０、ＰＳＣ３ｏｒＳＣ４，ＢＳ３＝Ｐ０/２、ＰＳＣ５ｏｒＳＣ６，ＢＳ３＝Ｐ０/２、ＰＳＣ７ｏｒＳＣ８，ＢＳ３＝Ｐ０となる。
【０１６３】
従って、基地局ＢＳ１、ＢＳ２、ＢＳ３が副搬送波ＳＣ１〜ＳＣ８を用いて参照信号を送信した後、端末がＳＣ１〜ＳＣ８におけるチャネル品質情報を測定し、特定ＦＰのチャネル品質情報を基地局にフィードバックする。
【０１６４】
本実施例では、仮に端末ＭＳ１のサービス基地局はＢＳ１であり、ＢＳ１がサブフレームＳＦ３（Ｓｕｂｆｒａｍｅ３）での第１つ目のＯＦＤＭ符号で参照信号を送信した後、端末ＭＳ１が中間パイロット周波数Ｍ１を測定してＦＰのチャネルマトリックスを取得し、そして参照信号ＳＣ１〜ＳＣ８を測定してＦＰのチャネル品質情報を取得し、ＢＳ１に特定ＦＰのチャネル品質情報をフィードバックする。ここで、前記特定ＦＰが基地局によりシグナルを介して端末ＭＳ１へ通知され又は端末ＭＳ１により選択されて基地局ＢＳ１へ報告され、前記特定ＦＰが１つ又は複数のＦＰ又は全部ＦＰを含んでよい。
【０１６５】
［実施例１０］
本実施例はマルチアンテナで、且つ一部の中間パイロット周波数を占用することを例として説明する。
【０１６６】
８０２．１６ｍシステムでは、中間パイロット周波数（Ｍｉｄａｍｂｌｅ）とは１つのフレームにおける特定符号で送信する特定のパイロット周波数シーケンスであり、受信端でチャネル測定を行うことに用い、例えばダウンリンクサブフレームの後ろから数えて第５つ目のサブフレームにおける（本実施例ではサブフレームＳＦ３である）第１つ目ＯＦＤＭ符号で中間パイロット周波数を送信し、且つ中間パイロット周波数の送信周期が１フレームであり、且つ中間パイロット周波数が占用したすべての副搬送波の送信パワーが同一である。
【０１６７】
本実施例では、ＦＦＲを有効にした後、基地局がＮ（Ｎ>＝１）つの中間パイロット周波数の送信周期をあけて、中間パイロット周波数を送信するＯＦＤＭ符号におけるある周波数リソース（即ち副搬送波）を用いて参照信号を送信し、これによって、端末がＦＰのチャネル品質情報を測定し、端末が測定して得たＦＰのチャネル品質情報を基地局にフィードバックし、基地局が受信したフィードバック情報及び既に保存した端末関連情報を介して端末にリソースを配布する。
【０１６８】
本実施例では、システムが図９に示すような構成及びデータ処理フローを用いる。
【０１６９】
ここで、ＢＳ１、ＢＳ２、ＢＳ３が送信した参照信号は端末が既に知った信号であり、且つサブフレームＳＦ３（Ｓｕｂｆｒａｍｅ３）の第１つ目のＯＦＤＭ符号（この符号が中間パイロット周波数を送信することに用いられる）における一部の副搬送波を用いて送信される。
【０１７０】
以下、ＢＳ１を例として参照信号の送信プロセスを詳しく説明する。
【０１７１】
ＢＳ１がまず変調符号化した後の参照信号がＬつのｌａｙｅｒに分けられ、そしてＬつのｌａｙｅｒのデータをＭＩＭＯ  ｅｎｃｏｄｅｒに送った後、ＭｔつのＳｔｒｅａｍを生成し、そしてこのＭｔつのＳｔｒｅａｍをＰｒｅｃｏｄｅｒに送り、最終に、参照信号をＮｔつのアンテナ（Ａｎｔｅｎｎａ）に映射して送信する。ここで、Ｐｒｅｃｏｄｅｒの処理プロセスはＭｔつのＳｔｒｅａｍをＰｒｅｃｏｄｅｒに送った後、基地局がプリコードマトリックスインデックス（Ｐｒｅｃｏｄｅ  Ｍａｔｒｉｘ  Ｉｎｄｉｃａｔｉｏｎ，ＰＭＩと略称）を介して既知のプリコードマトリックス集合から１つのプリコードマトリックスＰＭ−ａを選択し、且つＰＭ−ａにＭｔつのＳｔｒｅａｍをかけ、結果をＮｔつのアンテナ（Ａｎｔｅｎｎａ）に映射して送信する。ここで、基地局がプリコードマトリックスＰＭ−ａを選択する場合に標準により初期配置されたものでよく、又は基地局により無作為に選択されてもよく、そして選択したＰＭ−ａのＰＭＩシーケンス番号を端末に通知する。
【０１７２】
参照信号がＮｔつの（本実施例では仮にＮｔ＝２）アンテナ（Ａｎｔｅｎｎａ）で送信され、具体的に占用した副搬送波位置が図１７に示すように、ここで、Ｍ１−１がＢＳ１のアンテナ１の中間パイロット周波数であり、Ｍ１−２がＢＳ１のアンテナ２の中間パイロット周波数であり、ＢＳ１、ＢＳ２及びＢＳ３の中間パイロット周波数では周波数分割多重化の方式が用いられる。黒色ブロックの副搬送波ＳＣ１〜ＳＣ１６が参照信号である。ＢＳ１が参照信号を送信するのに占用する副搬送波の送信パワーはＢＳ１のＦＰ１、ＦＰ２、ＦＰ３及びＦＰ４での平均副搬送波パワーに応じて配置される。ＢＳ１において副搬送波ＳＣ１〜ＳＣ４の送信パワーがＦＰ１の平均副搬送波送信パワーＰ０を参照し、即ちＰＳＣ１〜ＳＣ４，ＢＳ１＝（１±△１，ＢＳ１）Ｐ０、ここで、ＰＳＣ１〜ＳＣ４，ＢＳ１はＳＣ１、ＳＣ２、ＳＣ３、ＳＣ４の送信パワーであり、△１，ＢＳ１はＰＳＣ１〜ＳＣ４，ＢＳ１の変動係数であり、即ち許したＰ０に対するＰＳＣ１〜ＳＣ４，ＢＳ１の変動大きさを反映するためものである。同様に、ＢＳ１において副搬送波ＳＣ５〜ＳＣ８の送信パワーがＦＰ２の平均副搬送波送信パワーＰ０を参照し、即ちＰＳＣ５〜ＳＣ８，ＢＳ１＝（１±△２，ＢＳ１）Ｐ０、ＢＳ１において副搬送波ＳＣ９〜ＳＣ１２の送信パワーがＦＰ３の平均副搬送波送信パワーＰ０/２を参照し、即ちＰＳＣ９〜ＳＣ１２，ＢＳ１＝（１±△３，ＢＳ１）Ｐ０/２、ＢＳ１において副搬送波ＳＣ１３〜ＳＣ１６の送信パワーがＦＰ４の平均副搬送波送信パワーＰ０/２を参照し、即ちＰＳＣ１３〜ＳＣ１６，ＢＳ１＝（１±△４，ＢＳ１）Ｐ０/２。本実施例では、△１，ＢＳ１、△２，ＢＳ１、△３，ＢＳ１、△４，ＢＳ１は仮に０であると、ＰＳＣ１〜ＳＣ４，ＢＳ１＝Ｐ０、ＰＳＣ５〜ＳＣ８，ＢＳ１＝Ｐ０、ＰＳＣ９〜ＳＣ１２，ＢＳ１＝Ｐ０/２、ＰＳＣ１３〜ＳＣ１６，ＢＳ１＝Ｐ０/２となる。
【０１７３】
同様に、仮にＢＳ２において副搬送波ＳＣ１〜ＳＣ１６の送信パワーはＰＳＣ１〜ＳＣ４，ＢＳ２＝Ｐ０、ＰＳＣ５〜ＳＣ８，ＢＳ２＝Ｐ０/２、ＰＳＣ９〜ＳＣ１２，ＢＳ２＝Ｐ０、ＰＳＣ１３〜ＳＣ１６，ＢＳ２＝Ｐ０/２となる。
【０１７４】
同様に、仮にＢＳ３において副搬送波ＳＣ１〜ＳＣ１６の送信パワーはＰＳＣ１〜ＳＣ４，ＢＳ３＝Ｐ０、ＰＳＣ５〜ＳＣ８，ＢＳ３＝Ｐ０/２、ＰＳＣ９〜ＳＣ１２，ＢＳ３＝Ｐ０/２、ＰＳＣ１３〜ＳＣ１６，ＢＳ３＝Ｐ０となる。
【０１７５】
本実施例では、仮に端末ＭＳ１のサービス基地局はＢＳ１であり、ＢＳ１がサブフレームＳＦ３（Ｓｕｂｆｒａｍｅ３）での第１つ目のＯＦＤＭ符号で中間パイロット周波数及び参照信号を送信した後、端末ＭＳ１が中間パイロット周波数Ｍ１−１、Ｍ１−２を測定してＦＰのチャネルマトリックスを取得し、且つ参照信号ＳＣ１〜ＳＣ１６を測定してＦＰのチャネル品質情報を取得し、ＢＳｌに特定ＦＰのチャネル品質情報をフィードバックする。ここで、前記特定ＦＰが基地局によりシグナルを介して端末ＭＳ１へ通知され又は端末ＭＳ１により選択されて基地局ＢＳ１へ報告され、前記特定ＦＰが１つ又は複数のＦＰ又は全部ＦＰを含んでよい。
【０１７６】
［実施例１１］
本実施例はシングルアンテナで、中間パイロット周波数を介してパワー差を体現することを例として説明する。
【０１７７】
８０２．１６ｍシステムでは、中間パイロット周波数（Ｍｉｄａｍｂｌｅ）とは１つのフレームにおける特定符号で送信する特定のパイロット周波数シーケンスであり、受信端でチャネル測定を行うことに用いる。例えば、本実施例では、中間パイロット周波数がダウンリンクサブフレームの後ろから数えて第５つ目のサブフレーム（サブフレームＳＦ３）における第１つ目のＯＦＤＭ符号に位置して中間パイロット周波数を送信する。本実施例では仮に中間パイロット周波数の送信周期が１フレームである。
【０１７８】
ＦＦＲを有効にした後、基地局が中間パイロット周波数で占用した副搬送波の送信パワーは基地局のＦＰ１、ＦＰ２、ＦＰ３及びＦＰ４での平均副搬送波パワーに従って配置される。
【０１７９】
本実施例では、ＢＳ１、ＢＳ２、ＢＳ３がサブフレームＳＦ３（Ｓｕｂｆｒａｍｅ３）の第１つ目のＯＦＤＭ符号によりＲｅｕｓｅ３の方式を用いて中間パイロット周波数を送信し、中間パイロット周波数が具体的に占用した副搬送波位置が図１８において黒色ブロック副搬送波に示す。ＢＳ１において副搬送波Ｍ１−１とＭ１−２の送信パワーがＦＰ１の平均副搬送波送信パワーＰ０を参照し、即ちＰＭ１−１ｏｒＭ１−２，ＢＳ１＝（１±△１，ＢＳ１）Ｐ０、ここで、ＰＭ１−１ｏｒＭ１−２，ＢＳ１はＭ１−１とＭ１−２の送信パワーであり、△１，ＢＳ１はＰＭ１−１ｏｒＭ１−２，ＢＳ１の変動係数であり、即ち許したＰ０に対するＰＭ１−１ｏｒＭ１−２，ＢＳ１の変動大きさを反映するためものである。同様に、ＢＳ１において副搬送波Ｍ１−３とＭ１−４の送信パワーがＦＰ２の平均副搬送波送信パワーＰ０を参照し、即ちＰＭ１−３ｏｒＭ１−４，ＢＳ１＝（１±△２，ＢＳ１）Ｐ０、ＢＳ１において副搬送波Ｍ１−５とＭ１−６の送信パワーがＦＰ３の平均副搬送波送信パワーＰ０/２を参照し、即ちＰＭ１−５ｏｒＭ１−６，ＢＳ１＝（１±△３，ＢＳ１）Ｐ０/２、ＢＳ１において副搬送波Ｍ１−７とＭ１−８の送信パワーがＦＰ４の平均副搬送波送信パワーＰ０/２を参照し、即ちＰＭ１−７ｏｒＭ１−８，ＢＳ１＝（１±△４，ＢＳ１）Ｐ０/２。本実施例では、△１，ＢＳ１、△２，ＢＳ１、△３，ＢＳ１、△４，ＢＳ１は仮に０であると、ＰＭ１−１ｏｒＭ１−２，ＢＳ１＝Ｐ０、ＰＭ１−３ｏｒＭ１−４，ＢＳ１＝Ｐ０、ＰＭ１−５ｏｒＭ１−６，ＢＳ１＝Ｐ０/２、ＰＭ１−７ｏｒＭ１−８，ＢＳ１＝Ｐ０/２となる。
【０１８０】
同様に、仮にＢＳ２において副搬送波Ｍ２−１〜Ｍ２−８の送信パワーはＰＭ２−１ｏｒＭ２−２，ＢＳ２＝Ｐ０、ＰＭ２−３ｏｒＭ２−４，ＢＳ２＝Ｐ０/２、ＰＭ２−５ｏｒＭ２−６，ＢＳ２＝Ｐ０、ＰＭ２−７ｏｒＭ２−８，ＢＳ２＝Ｐ０/２となる。
【０１８１】
同様に、仮にＢＳ３において副搬送波Ｍ３−１〜Ｍ３−８の送信パワーはＰＭ３−１ｏｒＭ３−２，ＢＳ３＝Ｐ０、ＰＭ３−３ｏｒＭ３−４，ＢＳ３＝Ｐ０/２、ＰＭ３−５ｏｒＭ３−６，ＢＳ３＝Ｐ０/２、ＰＭ３−７ｏｒＭ３−８，ＢＳ３＝Ｐ０となる。
【０１８２】
従って、端末が中間パイロット周波数を介してＦＰでのチャネル品質情報を測定し、そして特定ＦＰのチャネル品質情報を基地局にフィードバックする。
【０１８３】
本実施例では、仮に端末ＭＳ１のサービス基地局がＢＳ１であり、ＢＳ１がサブフレームＳＦ３（Ｓｕｂｆｒａｍｅ３）の第１つ目のＯＦＤＭ符号で中間パイロット周波数を送信した後、端末ＭＳ１が中間パイロット周波数Ｍ１−１〜Ｍ１−８を測定してＦＰ１、ＦＰ２、ＦＰ３、ＦＰ４のチャネル品質情報を取得し、ＢＳ１に特定ＦＰのチャネル品質情報をフィードバックする。ここで、前記特定ＦＰが基地局によりシグナルを介して端末ＭＳ１へ通知され又は端末ＭＳ１により選択されて基地局ＢＳ１へ報告され、前記特定ＦＰが１つ又は複数のＦＰ又は全部ＦＰを含んでよい。
【０１８４】
説明すべきは、中間パイロット周波数の送信位置が本実施例で選択したサブフレームＳＦ３の第１つ目のＯＦＤＭ符号に限られなく、他の符号内に位置してもよく、他のダウンリンクサブフレーム内に位置してもよく、複数のＯＦＤＭ符号内に位置してもよい。中間パイロット周波数の送信周期が本実施例における１フレームに限られなく、複数のフレーム又は複数のサブフレーム又は複数のスーパーフレームでもよい。
【０１８５】
［実施例１２］
本実施例はシングルアンテナで、中間パイロット周波数を介してパワー差を体現することを例として説明する。
【０１８６】
８０２．１６ｍシステムでは、中間パイロット周波数（Ｍｉｄａｍｂｌｅ）とは１つのフレームにおける特定符号で送信する特定のパイロット周波数シーケンスであり、受信端でチャネル測定を行うことに用い、例えば、本実施例では、中間パイロット周波数がダウンリンクサブフレームの後ろから数えて第５つ目のサブフレーム（サブフレームＳＦ３）における第１つ目のＯＦＤＭ符号に位置して中間パイロット周波数を送信する。本実施例では仮に中間パイロット周波数の送信周期が１フレームである。
【０１８７】
本実施例では、ＦＦＲを有効にした後、基地局が中間パイロット周波数で占用した副搬送波の送信パワーは基地局のＦＰ１、ＦＰ２、ＦＰ３及びＦＰ４での平均副搬送波パワーに従って配置される。
【０１８８】
本実施例では、ＢＳ１、ＢＳ２、ＢＳ３がサブフレームＳＦ３（Ｓｕｂｆｒａｍｅ３）の第１つ目のＯＦＤＭ符号によりＲｅｕｓｅ１の方式を用いて中間パイロット周波数を送信し、中間パイロット周波数が具体的に占用した副搬送波位置が図１９において黒色ブロック副搬送波に示す。ＢＳ１において副搬送波Ｍ１−１とＭ１−２の送信パワーがＦＰ１の平均副搬送波送信パワーＰ０を参照し、即ちＰＭ１−１ｏｒＭ１−２，ＢＳ１＝（１±△１，ＢＳ１）Ｐ０、ここで、ＰＭ１−１ｏｒＭ１−２，ＢＳ１はＭ１−１とＭ１−２の送信パワーであり、△１，ＢＳ１はＰＭ１−１ｏｒＭ１−２，ＢＳ１の変動係数であり、即ち許したＰ０に対するＰＭ１−１ｏｒＭ１−２，ＢＳ１の変動大きさを反映するためのものである。同様に、ＢＳ１において副搬送波Ｍ１−３とＭ１−４の送信パワーがＦＰ２の平均副搬送波送信パワーＰ０を参照し、即ちＰＭ１−３ｏｒＭ１−４，ＢＳ１＝（１±△２，ＢＳ１）Ｐ０、ＢＳ１において副搬送波Ｍ１−５とＭ１−６の送信パワーがＦＰ３の平均副搬送波送信パワーＰ０/２を参照し、即ちＰＭ１−５ｏｒＭ１−６，ＢＳ１＝（１±△３，ＢＳ１）Ｐ０/２、ＢＳ１において副搬送波Ｍ１−７とＭ１−８の送信パワーがＦＰ４の平均副搬送波送信パワーＰ０/２を参照し、即ちＰＭ１−７ｏｒＭ１−８，ＢＳ１＝（１±△４，ＢＳ１）Ｐ０/２。本実施例では、△１，ＢＳ１、△２，ＢＳ１、△３，ＢＳ１、△４，ＢＳ１は仮に０であると、ＰＭ１−１ｏｒＭ１−２，ＢＳ１＝Ｐ０、ＰＭ１−３ｏｒＭ１−４，ＢＳ１＝Ｐ０、ＰＭ１−５ｏｒＭ１−６，ＢＳ１＝Ｐ０/２、ＰＭ１−７ｏｒＭ１−８，ＢＳ１＝Ｐ０/２となる。
【０１８９】
同様に、仮にＢＳ２において副搬送波Ｍ２−１〜Ｍ２−８の送信パワーはＰＭ２−１ｏｒＭ２−２，ＢＳ２＝Ｐ０、ＰＭ２−３ｏｒＭ２−４，ＢＳ２＝Ｐ０/２、ＰＭ２−５ｏｒＭ２−６，ＢＳ２＝Ｐ０、ＰＭ２−７ｏｒＭ２−８，ＢＳ２＝Ｐ０/２となる。
【０１９０】
同様に、仮にＢＳ３において副搬送波Ｍ３−１〜Ｍ３−８の送信パワーはＰＭ３−１ｏｒＭ３−２，ＢＳ３＝Ｐ０、ＰＭ３−３ｏｒＭ３−４，ＢＳ３＝Ｐ０/２、ＰＭ３−５ｏｒＭ３−６，ＢＳ３＝Ｐ０/２、ＰＭ３−７ｏｒＭ３−８，ＢＳ３＝Ｐ０となる。
【０１９１】
従って、端末が中間パイロット周波数を介してＦＰでのチャネル品質情報を測定し、そして特定ＦＰのチャネル品質情報を基地局にフィードバックする。
【０１９２】
本実施例では、仮に端末ＭＳ１のサービス基地局がＢＳ１であり、ＢＳ１がサブフレームＳＦ３（Ｓｕｂｆｒａｍｅ３）の第１つ目のＯＦＤＭ符号で中間パイロット周波数を送信した後、端末ＭＳ１が中間パイロット周波数Ｍ１−１〜Ｍ１−８を測定してＦＰ１、ＦＰ２、ＦＰ３、ＦＰ４のチャネル品質情報を取得し、ＢＳ１に特定ＦＰのチャネル品質情報をフィードバックする。ここで、前記特定ＦＰが基地局によりシグナルを介して端末ＭＳ１へ通知され又は端末ＭＳ１により選択されて基地局ＢＳ１へ報告され、前記特定ＦＰが１つ又は複数のＦＰ又は全部ＦＰを含んでよい。
【０１９３】
中間パイロット周波数の送信位置が本実施例で選択したサブフレームＳＦ３の第１つ目のＯＦＤＭ符号に限られなく、他の符号内に位置してもよく、他のダウンリンクサブフレーム内に位置してもよく、複数のＯＦＤＭ符号内に位置してもよい。中間パイロット周波数の送信周期が本実施例における１フレームに限られなく、複数のフレーム又は複数のサブフレーム又は複数のスーパーフレームでもよい。
【０１９４】
［実施例１３］
本実施例はマルチアンテナで、中間パイロット周波数を介してパワー差を体現することを例として説明する。
【０１９５】
８０２．１６ｍシステムでは、中間パイロット周波数（Ｍｉｄａｍｂｌｅ）とは１つのフレームにおける特定符号で送信する特定のパイロット周波数シーケンスであり、受信端でチャネル測定を行うことに用いる。例えば、本実施例では、中間パイロット周波数がダウンリンクサブフレームの後ろから数えて第５つ目のサブフレーム（サブフレームＳＦ３）における第１つ目のＯＦＤＭ符号に位置して中間パイロット周波数を送信する。本実施例では仮に中間パイロット周波数の送信周期が１フレームである。
【０１９６】
本実施例では、システムが図９に示すような構成及びデータ処理フローを用いる。
【０１９７】
本実施例では、ＦＦＲを有効にした後、基地局が中間パイロット周波数で占用した副搬送波の送信パワーは基地局のＦＰ１、ＦＰ２、ＦＰ３及びＦＰ４での平均副搬送波パワーに従って配置される。
【０１９８】
本実施例では、ＢＳ１、ＢＳ２、ＢＳ３がサブフレームＳＦ３（Ｓｕｂｆｒａｍｅ３）の第１つ目のＯＦＤＭ符号によりＲｅｕｓｅ３の方式を用いて中間パイロット周波数を送信する。ここで、前記Ｒｅｕｓｅ３の方式とはＢＳ１、ＢＳ２、ＢＳ３の中間パイロット周波数を送信するのに占用した副搬送波の周波数が直交していることを指す。ここで、各基地局が複数の送信アンテナで中間パイロット周波数を送信するのに占用した副搬送波の周波数が直交する。以下、ＢＳ１を例とし、中間パイロット周波数の送信方法及び受信方法を詳しく説明する。
【０１９９】
本実施例では、仮にＢＳ１がＮｔつの（Ｎｔ＝２）アンテナ（Ａｎｔｅｎｎａ）で中間パイロット周波数を送信し、パイロット周波数が具体的に占用した副搬送波位置が図２０において黒色ブロック副搬送波に示す。ＢＳ１において副搬送波Ｍ１−１、Ｍ１−２、Ｍ２−１、Ｍ２−２の送信パワーがＦＰ１の平均副搬送波送信パワーＰ０を参照し、即ちＰＭ１−１、Ｍ１−２、Ｍ２−１、Ｍ２−２，ＢＳ１＝（１±△１，ＢＳ１）Ｐ０、ここで、ＰＭ１−１、Ｍ１−２、Ｍ２−１、Ｍ２−２，ＢＳ１はＭ１−１、Ｍ１−２、Ｍ２−１、Ｍ２−２の送信パワーであり、△１，ＢＳ１はＰＭ１−１、Ｍ１−２、Ｍ２−１、Ｍ２−２，ＢＳ１の変動係数であり、即ち許したＰ０に対するＰＭ１−１、Ｍ１−２、Ｍ２−１、Ｍ２−２，ＢＳ１の変動大きさを反映するためものである。同様に、ＢＳ１において副搬送波Ｍ１−３、Ｍ１−４、Ｍ２−３、Ｍ２−４の送信パワーがＦＰ２の平均副搬送波送信パワーＰ０を参照し、即ちＰＭ１−３、Ｍ１−４、Ｍ２−３、Ｍ２−４，ＢＳ１＝（１±△２，ＢＳ１）Ｐ０、ＢＳ１において副搬送波Ｍ１−５、Ｍ１−６、Ｍ２−５、Ｍ２−６の送信パワーがＦＰ３の平均副搬送波送信パワーＰ０/２を参照し、即ちＰＭ１−５、Ｍ１−６、Ｍ２−５、Ｍ２−６，ＢＳ１＝（１±△３，ＢＳ１）Ｐ０/２、ＢＳ１において副搬送波Ｍ１−７、Ｍ１−８、Ｍ２−７、Ｍ２−８の送信パワーがＦＰ４の平均副搬送波送信パワーＰ０/２を参照し、即ちＰＭ１−７、Ｍ１−８、Ｍ２−７、Ｍ２−８，ＢＳ１＝（１±△４，ＢＳ１）Ｐ０/２。本実施例では、△１，ＢＳ１、△２，ＢＳ１、△３，ＢＳ１、△４，ＢＳ１は仮に０であると、ＰＭ１−１、Ｍ１−２、Ｍ２−１、Ｍ２−２，ＢＳ１＝Ｐ０、ＰＭ１−３、Ｍ１−４、Ｍ２−３、Ｍ２−４，ＢＳ１＝Ｐ０、ＰＭ１−５、Ｍ１−６、Ｍ２−５、Ｍ２−６，ＢＳ１＝Ｐ０/２、ＰＭ１−７、Ｍ１−８、Ｍ２−７、Ｍ２−８，ＢＳ１＝Ｐ０/２となる。
【０２００】
従って、端末が中間パイロット周波数を介してＦＰでのチャネル品質情報を測定し、そして特定ＦＰのチャネル品質情報を基地局にフィードバックする。
【０２０１】
本実施例では、仮に端末ＭＳ１のサービス基地局がＢＳ１であり、ＢＳ１がサブフレームＳＦ３（Ｓｕｂｆｒａｍｅ３）の第１つ目のＯＦＤＭ符号で中間パイロット周波数を送信した後、端末ＭＳ１が中間パイロット周波数を測定してＦＰ１、ＦＰ２、ＦＰ３、ＦＰ４のチャネル品質情報を取得し、ＢＳ１に特定ＦＰのチャネル品質情報をフィードバックする。ここで、前記特定ＦＰが基地局によりシグナルを介して端末ＭＳ１へ通知され又は端末ＭＳ１により選択されて基地局ＢＳ１へ報告され、前記特定ＦＰが１つ又は複数のＦＰ又は全部ＦＰを含んでよい。
【０２０２】
中間パイロット周波数の送信位置が本実施例で選択したサブフレームＳＦ３の第１つ目のＯＦＤＭ符号に限られなく、他の符号内に位置してもよく、他のダウンリンクサブフレーム内に位置してもよく、複数のＯＦＤＭ符号内に位置してもよい。中間パイロット周波数の送信周期が本実施例における１フレームに限られなく、複数のフレーム又は複数のサブフレーム又は複数のスーパーフレームでもよい。
【０２０３】
［実施例１４］
本実施例はマルチアンテナで、中間パイロット周波数を介してパワー差を体現することを例として説明する。
【０２０４】
８０２．１６ｍシステムでは、中間パイロット周波数（Ｍｉｄａｍｂｌｅ）とは１つのフレームにおける特定符号で送信する特定のパイロット周波数シーケンスであり、受信端でチャネル測定を行うことに用いる。例えば、本実施例では、中間パイロット周波数がダウンリンクサブフレームの後ろから数えて第５つ目のサブフレーム（サブフレームＳＦ３）における第１つ目のＯＦＤＭ符号に位置して中間パイロット周波数を送信する。本実施例では仮に中間パイロット周波数の送信周期が１フレームである。
【０２０５】
本実施例では、システムが図９に示すような構成及びデータ処理フローを用いる。
【０２０６】
本実施例では、ＦＦＲを有効にした後、基地局が中間パイロット周波数で占用した副搬送波の送信パワーは基地局のＦＰ１、ＦＰ２、ＦＰ３及びＦＰ４での平均副搬送波パワーに従って配置される。
【０２０７】
本実施例では、ＢＳ１、ＢＳ２、ＢＳ３がサブフレームＳＦ３（Ｓｕｂｆｒａｍｅ３）の第１つ目のＯＦＤＭ符号によりＲｅｕｓｅ１の方式を用いて中間パイロット周波数を送信する。ここで、前記Ｒｅｕｓｅ１の方式ではＢＳ１、ＢＳ２、ＢＳ３が中間パイロット周波数を送信するのに占用した副搬送波が同一である。以下、ＢＳ１を例とし、中間パイロット周波数の送信方法及び受信方法を詳しく説明する。
【０２０８】
本実施例では、仮にＢＳ１がＮｔつの（Ｎｔ＝２）アンテナ（Ａｎｔｅｎｎａ）で中間パイロット周波数を送信し、パイロット周波数が具体的に占用した副搬送波位置が図２１において黒色ブロック副搬送波に示す。ＢＳ１において副搬送波Ｍ１−１、Ｍ１−２、Ｍ２−１、Ｍ２−２の送信パワーがＦＰ１の平均副搬送波送信パワーＰ０を参照し、即ちＰＭ１−１、Ｍ１−２、Ｍ２−１、Ｍ２−２，ＢＳ１＝（１±△１，ＢＳ１）Ｐ０、ここで、ＰＭ１−１、Ｍ１−２、Ｍ２−１、Ｍ２−２，ＢＳ１はＭ１−１、Ｍ１−２、Ｍ２−１、Ｍ２−２の送信パワーであり、△１，ＢＳ１はＰＭ１−１、Ｍ１−２、Ｍ２−１、Ｍ２−２，ＢＳ１の変動係数であり、即ち許したＰ０に対するＰＭ１−１、Ｍ１−２、Ｍ２−１、Ｍ２−２，ＢＳ１の変動大きさを反映するためのものである。同様に、ＢＳ１において副搬送波Ｍ１−３、Ｍ１−４、Ｍ２−３、Ｍ２−４の送信パワーがＦＰ２の平均副搬送波送信パワーＰ０を参照し、即ちＰＭ１−３、Ｍ１−４、Ｍ２−３、Ｍ２−４，ＢＳ１＝（１±△２，ＢＳ１）Ｐ０、ＢＳ１において副搬送波Ｍ１−５、Ｍ１−６、Ｍ２−５、Ｍ２−６の送信パワーがＦＰ３の平均副搬送波送信パワーＰ０/２を参照し、即ちＰＭ１−５、Ｍ１−６、Ｍ２−５、Ｍ２−６，ＢＳ１＝（１±△３，ＢＳ１）Ｐ０/２、ＢＳ１において副搬送波Ｍ１−７、Ｍ１−８、Ｍ２−７、Ｍ２−８の送信パワーがＦＰ４の平均副搬送波送信パワーＰ０/２を参照し、即ちＰＭ１−７、Ｍ１−８、Ｍ２−７、Ｍ２−８，ＢＳ１＝（１±△４，ＢＳ１）Ｐ０/２。本実施例では、△１，ＢＳ１、△２，ＢＳ１、△３，ＢＳ１、△４，ＢＳ１は仮に０であると、ＰＭ１−１、Ｍ１−２、Ｍ２−１、Ｍ２−２，ＢＳ１＝Ｐ０、ＰＭ１−３、Ｍ１−４、Ｍ２−３、Ｍ２−４，ＢＳ１＝Ｐ０、ＰＭ１−５、Ｍ１−６、Ｍ２−５、Ｍ２−６，ＢＳ１＝Ｐ０/２、ＰＭ１−７、Ｍ１−８、Ｍ２−７、Ｍ２−８，ＢＳ１＝Ｐ０/２となる。
【０２０９】
従って、端末が中間パイロット周波数を介してＦＰでのチャネル品質情報を測定し、そして特定ＦＰのチャネル品質情報を基地局にフィードバックする。
【０２１０】
本実施例では、仮に端末ＭＳ１のサービス基地局がＢＳ１であり、ＢＳ１がサブフレームＳＦ３（Ｓｕｂｆｒａｍｅ３）の第１つ目のＯＦＤＭ符号で中間パイロット周波数を送信した後、端末ＭＳ１が中間パイロット周波数を測定してＦＰ１、ＦＰ２、ＦＰ３、ＦＰ４のチャネル品質情報を取得し、ＢＳ１に特定ＦＰのチャネル品質情報をフィードバックする。ここで、前記特定ＦＰが基地局によりシグナルを介して端末ＭＳ１へ通知され又は端末ＭＳ１により選択されて基地局ＢＳ１へ報告され、前記特定ＦＰが１つ又は複数のＦＰ又は全部ＦＰを含んでよい。
【０２１１】
中間パイロット周波数の送信位置が本実施例で選択されたサブフレームＳＦ３の第１つ目のＯＦＤＭ符号に限られなく、他の符号内に位置してもよく、他のダウンリンクサブフレーム内に位置してもよく、複数のＯＦＤＭ符号内に位置してもよい。中間パイロット周波数の送信周期が本実施例における１フレームに限られなく、複数のフレーム又は複数のサブフレーム又は複数のスーパーフレームでもよい。
【０２１２】
以下の実施例では、前記方法２を説明する。以下の実施例において、仮にシステムに３つの基地局が存在し、それぞれがＢＳ１、ＢＳ２及びＢＳ３である。ＦＦＲを有効にした後、端末が全部又は一部ＦＰのチャネル品質情報を測定することに供えるために、基地局ＢＳ１、ＢＳ２及びＢＳ３がそれぞれ特定のＯＦＤＭ符号内の全部又は一部ＦＰで何れかの情報も送信しない。ここで、ＢＳ１、ＢＳ２及びＢＳ３が同一ＦＰで情報を送信しなくて占用したＯＦＤＭ符号が異なっている。ここで、特定のＯＦＤＭ符号が標準により初期配置されたものでよく又は基地局と協議して確定したものでもよい。
【０２１３】
［実施例１５］
本実施例では、前記方法２を説明し、本実施例において、各基地局が同一な周波数パーティションで情報を送信しなく占用したＯＦＤＭ符号が異なっていて、且つ周波数パーティション集合におけるすべての周波数パーティションに対していずれも測定を行う。
【０２１４】
以下、ＢＳ１を例とし、端末がＦＰのチャネル品質情報を測定する方法を詳しく説明する。
【０２１５】
本実施例では、仮に端末ＭＳ１のサービス基地局がＢＳ１であり、ＦＦＲを有効にした後、基地局ＢＳ１に対して、端末がＦＰ１、ＦＰ２、ＦＰ３及びＦＰ４のチャネル品質情報をアップリンク報告する必要がある。ＢＳ１が第Ｌつ目のスーパーフレームの第１つ目のフレームの第２つ目のダウンリンクサブフレームの第３つ目のＯＦＤＭ符号内のＦＰ１に対応する副搬送波で何かの情報も送信しなく、ＢＳ１が第Ｌつ目のスーパーフレームの第２つ目のフレームの第２つ目のダウンリンクサブフレームの第３つ目のＯＦＤＭ符号内のＦＰ２に対応する副搬送波で何れかの情報も送信しなく、ＢＳ１が第Ｌつ目のスーパーフレームの第３つ目のフレームの第２つ目のダウンリンクサブフレームの第３つ目のＯＦＤＭ符号内のＦＰ３に対応する副搬送波で何れかの情報も送信しなく、ＢＳ１が第Ｌつ目のスーパーフレームの第４つ目のフレームの第２つ目のダウンリンクサブフレームの第３つ目のＯＦＤＭ符号内のＦＰ４に対応する副搬送波で何かの情報も送信しない。
【０２１６】
端末ＭＳ１が前記ＯＦＤＭ符号時刻にそれぞれＦＰ１、ＦＰ２、ＦＰ３及びＦＰ４で他の基地局（ＢＳ２及びＢＳ３）からの干渉強度値を測定し、そして取得した干渉強度値をサービス基地局ＢＳ１に報告する。
【０２１７】
ＢＳ２及びＢＳ３に対して前記類似処理を用いてもよい。
【０２１８】
［実施例１６］
本実施例では、前記方法２を説明し、本実施例において、各基地局が同一な周波数パーティションで情報を送信しなく占用したＯＦＤＭ符号が異なっていて、且つ周波数パーティション集合における一部の周波数パーティションに対して測定を行う。
【０２１９】
以下、ＢＳ１を例とし、端末がＦＰのチャネル品質情報を測定する方法を詳しく説明する。
【０２２０】
本実施例では、仮に端末ＭＳ１のサービス基地局がＢＳ１であり、ＦＦＲを有効にした後、基地局ＢＳ１に対して、端末がＦＰ１及びＦＰ２のチャネル品質情報をアップリンク報告することが必要である。ＢＳ１が第Ｌつ目のスーパーフレームの第１つ目のフレームの第２つ目のダウンリンクサブフレームの第３つ目のＯＦＤＭ符号内のＦＰ１に対応する副搬送波で何れかの情報も送信しなく、ＢＳ１が第Ｌつ目のスーパーフレームの第２つ目のフレームの第２つ目のダウンリンクサブフレームの第３つ目のＯＦＤＭ符号内のＦＰ２に対応する副搬送波で何れかの情報も送信しない。
【０２２１】
端末ＭＳ１が前記ＯＦＤＭ符号時刻にそれぞれＦＰ１、ＦＰ２で他の基地局（ＢＳ２及びＢＳ３）からの干渉強度値を測定し、そして取得した干渉強度値をサービス基地局ＢＳ１に報告する。
【０２２２】
［実施例１７］
本実施例では、前記方法２を説明し、本実施例において、各基地局が同一な周波数パーティションで情報を送信しなく占用したＯＦＤＭ符合が異なっていて、且つ周波数パーティション集合におけるすべての周波数パーティションに対していずれも測定を行う。
【０２２３】
以下、ＢＳ１を例とし、端末がＦＰのチャネル品質情報を測定する方法を詳しく説明する。
【０２２４】
本実施例では、仮に端末ＭＳ１のサービス基地局がＢＳ１であり、ＦＦＲを有効にした後、基地局ＢＳ１に対して、端末がＦＰ１、ＦＰ２、ＦＰ３及びＦＰ４のチャネル品質情報をアップリンク報告することが必要である。ＢＳ１が第Ｌつ目のスーパーフレームの第１つ目のフレームの第２つ目のダウンリンクサブフレームの第３つ目ＯＦＤＭ符号内のＦＰ１に対応する副搬送波で何れかの情報も送信しない。
【０２２５】
端末ＭＳ１が前記ＯＦＤＭ符号時刻にそれぞれＦＰ１、ＦＰ２、ＦＰ３及びＦＰ４で他の基地局（ＢＳ２及びＢＳ３）からの干渉強度値を測定し、そして取得した干渉強度値をサービス基地局ＢＳ１に報告する。
【０２２６】
［実施例１８］
本実施例では、前記方法２を説明し、本実施例において、各基地局が同一な周波数パーティションで情報を送信しなく占用したＯＦＤＭ符合が異なっていて、且つ周波数パーティション集合における一部の周波数パーティションに対して測定を行う。
【０２２７】
以下、ＢＳ１を例とし、端末がＦＰのチャネル品質情報を測定する方法を詳しく説明する。
【０２２８】
本実施例では、仮に端末ＭＳ１のサービス基地局がＢＳ１であり、ＦＦＲを有効にした後、基地局ＢＳ１に対して、端末がＦＰ１及びＦＰ２のチャネル品質情報をアップリンク報告する必要がある。ＢＳ１が第Ｌつ目のスーパーフレームの第１つ目のフレームの第２つ目のダウンリンクサブフレームの第３つ目ＯＦＤＭ符号内のＦＰ１、ＦＰ２に対応する副搬送波で何れかの情報も送信しない。
【０２２９】
端末ＭＳ１が前記ＯＦＤＭ符号時刻にそれぞれＦＰ１、ＦＰ２で他の基地局（ＢＳ２及びＢＳ３）からの干渉強度値を測定し、そして取得した干渉強度値をサービス基地局ＢＳ１に報告する。
【０２３０】
以下の実施例が前記方法３を説明する。
【０２３１】
［実施例１９］
本実施例では、シグナル送信周波数パーティション集合における全部ＦＰの送信パワー配置情報を用いる。
【０２３２】
以下、ＢＳ１を例とし、このシグナルの送信及び受信方法を詳しく説明する。
【０２３３】
本実施例では、仮にＢＳ１のＦＰ１での副搬送波の送信パワーはＰ１であり、ＢＳ１のＦＰ２での副搬送波の送信パワーはＰ２であり、ＢＳ１のＦＰ３での副搬送波の送信パワーはＰ３であり、ＢＳ１のＦＰ４での副搬送波の送信パワーはＰ４であると、ＢＳ１がＰ１、Ｐ２、Ｐ３、Ｐ４の絶対値情報をシグナルＳ１を介して端末ＭＳｌに送信する。
【０２３４】
ＭＳ１が基地局ＢＳ１が送信したシグナルＳ１を受信し、Ｓ１を解読してＦＰ１、ＦＰ２、ＦＰ３及びＦＰ４の副搬送波送信パワーＰ１、Ｐ２、Ｐ３及びＰ４を取得する。
【０２３５】
ここで、説明すべきは、ＢＳ１がＰ１、Ｐ２、Ｐ３、Ｐ４を送信する態様が本実施例に記載の絶対値方式に限られなく、差値の態様で送信してもよく、即ちＦＰ１、ＦＰ２、ＦＰ３及びＦＰ４の副搬送波送信パワーＰ１、Ｐ２、Ｐ３及びＰ４から１つのＦＰの副搬送波送信パワーＰｘを選択し、Ｐｘが絶対値方式で送信され、他のＦＰの副搬送波送信パワーがＰｘとの差値方式で送信される。例えば、ＢＳ１が周波数リユース因数がＲｅｕｓｅ１/３のＦＰ集合においてＦＰ２の副搬送波送信パワーＰ２を選択し、絶対値方式で送信し、Ｐ１、Ｐ３及びＰ４が差値方式で送信される。受信端ＭＳ１はまず解読を介してＰ２を回復し、更にＰ１、Ｐ３及びＰ４を回復する。
【０２３６】
［実施例２０］
本実施例では、シグナル送信周波数パーティション集合における一部ＦＰの送信パワー配置情報を用いる。
【０２３７】
以下、ＢＳ１を例とし、このシグナルの送信及び受信方法を詳しく説明する。
【０２３８】
本実施例では、仮にＢＳ１のＦＰ１での副搬送波の送信パワーはＰ１であり、ＢＳ１のＦＰ２での副搬送波の送信パワーはＰ２であり、ＢＳ１のＦＰ３での副搬送波の送信パワーはＰ３であり、ＢＳ１のＦＰ４での副搬送波の送信パワーはＰ４である。ＦＰ１での副搬送波の送信パワーＰ１が標準初期配置として基地局及び端末内（ここで、ＦＰｌの副搬送波の送信パワーＰ１に限られなく、他の１つ又は複数のＦＰの副搬送波の送信パワーでもよい）に保存すると、ＢＳ１がＰ２、Ｐ３、Ｐ４の絶対値情報をシグナルＳ１を介して端末ＭＳｌに送信する。
【０２３９】
ＭＳ１が基地局ＢＳ１が送信したシグナルＳ１を受信し、Ｓ１を解読してＦＰ２、ＦＰ３及びＦＰ４の副搬送波送信パワーＰ２、Ｐ３及びＰ４を取得する。
【０２４０】
ここで、説明すべきは、ＢＳ１がＰ２、Ｐ３、Ｐ４を送信する態様が本実施例に記載の絶対値態様に限られなく、差値の態様で送信してもよく、即ちＦＰ２、ＦＰ３及びＦＰ４の副搬送波送信パワーＰ２、Ｐ３及びＰ４から１つのＦＰの副搬送波送信パワーＰｘを選択し、Ｐｘが絶対値方式で送信されるようさせ、他のＦＰの副搬送波送信パワーがＰｘとの差値方式で送信される。例えば、ＢＳ１が周波数リユース因数がＲｅｕｓｅ１/３のＦＰ集合においてＦＰ２の副搬送波送信パワーＰ２を選択し、絶対値方式で送信し、Ｐ３及びＰ４が差値方式で送信される。受信端ＭＳ１はまず解読を介してＰ２を回復し、更にＰ３及びＰ４を回復する。
【０２４１】
ここで、説明すべきは、ＢＳ１がＰ２、Ｐ３、Ｐ４を送信する態様が本実施例に記載の絶対値方式に限られなく、又１種の差値の態様で送信してもよく、即ちＦＰ２、ＦＰ３及びＦＰ４の副搬送波送信パワーＰ２、Ｐ３及びＰ４がＰ１との差値方式で送信される。受信端ＭＳ１が標準初期配置に応じてＦＰ１の副搬送波送信パワーＰ１を取得し、そして解読を介してＰ２、Ｐ３及びＰ４を回復する。
【０２４２】
［実施例２１］
本実施例では、セクターの識別情報（ＳｅｇｍｅｎｔＩＤ）と送信パワー配置情報との対応関係によって、端末に周波数パーティション集合において全部ＦＰの送信パワー配置情報を通知する。
【０２４３】
以下、ＢＳ１を例とし、各ＦＰの副搬送波送信パワーの取得方法を詳しく説明する。
【０２４４】
本実施例では、仮にＭＳ１はＢＳ１をサービス基地局とする端末であり、ＭＳ１がＢＳ１が送信した発展型主前置きリードコード（Ｐｒｉｍａｒｙ  Ａｄｖａｎｃｅｄ  Ｐｒｅａｍｂｌｅ，ＰＡ−Ｐｒｅａｍｂｌｅと略称）を解読してＢＳ１の帯域幅配置情報を取得し、本実施例では仮にＢＳ１が用いた帯域幅が１０ＭＨｚである。ＭＳ１がＢＳ１が送信したＳＡ−Ｐｒｅａｍｂｌｅ（Ｓｅｃｏｎｄ  Ａｄｖａｎｃｅｄ  Ｐｒｅａｍｂｌｅ）を解読し、ＢＳ１が送信したＳＡ−ＰｒｅａｍｂｌｅシーケンスがＳＡＰ−１であることを取得する。ＭＳ１が標準初期配置した１０ＭＨｚ帯域幅が使用可能なＳＡ−Ｐｒｅａｍｂｌｅシーケンス集合とＳｅｇｍｅｎｔＩＤとの対応関係で、シーケンスＳＡＰ−１に対応するＳｅｇｍｅｎｔｌＤを見つけ、仮にＳｅｇｍｅｎｔ１であり、即ちＢＳ１のＳｅｇｍｅｎｔＩＤがＳｅｇｍｅｎｔｌである。最後に、端末ＭＳ１がＳｅｇｍｅｎｔＩＤとＦＰの送信パワーとの対応関係によって、Ｓｅｇｍｅｎｔ１を介してＢＳｌのＦＰの送信パワー配置を見つける。
【０２４５】
［実施例２２］
本実施例では、ＳＡ−Ｐｒインデックス番号と送信パワー配置情報との対応関係によって、端末に周波数パーティション集合における全部ＦＰの送信パワー配置情報を通知する。
【０２４６】
以下、ＢＳ１を例とし、各ＦＰの副搬送波送信パワーの取得方法を詳しく説明する。
【０２４７】
本実施例では、仮にＭＳ１はＢＳ１をサービス基地局とする端末であり、ＭＳ１がＢＳ１が送信したＰＡ−Ｐｒｅａｍｂｌｅ（Ｐｒｉｍａｒｙ  Ａｄｖａｎｃｅｄ  Ｐｒｅａｍｂｌｅ）を解読してＢＳ１の帯域幅配置情報を取得し、本実施例では仮にＢＳ１が用いた帯域幅が１０ＭＨｚである。ＭＳ１がＢＳ１が送信したＳＡ−Ｐｒｅａｍｂｌｅ（Ｓｅｃｏｎｄ  Ａｄｖａｎｃｅｄ  Ｐｒｅａｍｂｌｅ）を解読し、ＢＳ１が送信したＳＡ−ＰｒｅａｍｂｌｅシーケンスがＳＡＰ−１であることを取得する。ＭＳ１が標準初期配置した１０ＭＨｚ帯域幅が使用可能なＳＡ−Ｐｒｅａｍｂｌｅシーケンス集合で、シーケンスＳＡＰ−１のインデックス番号を見つけ、仮にＩｎｄｅｘ−１である。最後に、端末ＭＳ１がｌ０ＭＨｚ帯域幅が使用可能なＳＡ−Ｐｒｅａｍｂｌｅシーケンス集合とＦＰの送信パワーとの対応関係によって、インデックス番号Ｉｎｄｅｘ−１を介してＢＳ１のＦＰの送信パワー配置を見つける。
【０２４８】
［実施例２３］
本実施例では、ＩＤＣｅｌｌシーケンス番号と送信パワー配置情報との対応関係によって、端末に周波数パーティション集合における全部ＦＰの送信パワー配置情報を通知する。
【０２４９】
以下、ＢＳ１を例とし、各ＦＰの副搬送波送信パワーの取得方法を詳しく説明する。
【０２５０】
本実施例では、仮にＭＳ１はＢＳ１をサービス基地局とする端末であり、ＭＳ１がＢＳ１が送信したＰＡ−Ｐｒｅａｍｂｌｅ（Ｐｒｉｍａｒｙ  Ａｄｖａｎｃｅｄ  Ｐｒｅａｍｂｌｅ）を解読してＢＳ１の帯域幅配置情報を取得し、本実施例では仮にＢＳ１が用いた帯域幅が１０ＭＨｚである。ＭＳ１がＢＳ１が送信したＳＡ−Ｐｒｅａｍｂｌｅ（Ｓｅｃｏｎｄ  Ａｄｖａｎｃｅｄ  Ｐｒｅａｍｂｌｅ）を解読し、ＢＳ１が送信したＳＡ−ＰｒｅａｍｂｌｅシーケンスがＳＡＰ−１であることを取得する。ＭＳ１が標準初期配置した１０ＭＨｚ帯域幅が使用可能なＳＡ−Ｐｒｅａｍｂｌｅシーケンス集合で、シーケンスＳＡＰ−１のインデックス番号を見つけ、仮にＩｎｄｅｘ−１である。ＭＳ１が標準初期配置した１０ＭＨｚ帯域幅が使用可能なＳＡ−Ｐｒｅａｍｂｌｅシーケンス集合とＳｅｇｍｅｎｔＩＤとの対応関係で、シーケンスＳＡＰ−１に対応するＳｅｇｍｅｎｔｌＤを見つけ、仮にＳｅｇｍｅｎｔ１であり、即ちＢＳ１のＳｅｇｍｅｎｔＩＤがＳｅｇｍｅｎｔｌである。ＭＳ１がＳｅｇｍｅｎｔ１とＩｎｄｅｘ−１を介して計算によってＢＳ１のＩＤＣｅｌｌを取得する。ＭＳ１が基地局のＩＤＣｅｌｌとＦＰパワー配置の対応関係によって、ＢＳ１のＩＤＣｅｌｌに対応するＦＰパワー配置情報を見つけ、そしてＢＳ１のＦＰのパワー配置情報を取得する。
【０２５１】
最後に、端末ＭＳ１がｌ０ＭＨｚ帯域幅が使用可能なＳＡ−Ｐｒｅａｍｂｌｅシーケンス集合とＦＰの送信パワーとの対応関係によって、インデックス番号Ｉｎｄｅｘ−１を介してＢＳ１のＦＰの送信パワー配置を見つける。
【０２５２】
［実施例２４］
本実施例では、シグナル送信周波数パーティション集合における全部ＦＰの送信パワーが配置されたインデックス情報を用い、且つインデックス情報を介して１つ又は複数の周波数パーティションの送信パワー配置情報が周波数パーティションの送信パワー配置インデックステーブルにおける位置を指示する。ここで、前記インデックステーブルが標準配置として前記基地局と前記端末に保存される。
【０２５３】
以下、ＢＳ１を例とし、このシグナルの送信及び受信方法を詳しく説明する。
【０２５４】
本実施例では、仮にＢＳ１のＦＰ１、ＦＰ２、ＦＰ３及びＦＰ４での副搬送波の送信パワーがそれぞれＰｌ、Ｐ２、Ｐ３及びＰ４である。ＢＳｌが標準配置の周波数パーティションの送信パワー配置インデックステーブルを探して、４つのＦＰの前提下の４つのＦＰ送信パワーＰ１、Ｐ２、Ｐ３及びＰ４に対応するインデックス情報を見つける。そしてＢＳ１がこのインデックス情報をシグナルＳ１を介して端末ＭＳ１に送信する。
【０２５５】
ＭＳ１が基地局ＢＳ１が送信したシグナルＳ１を受信し、Ｓ１を解読して前記インデックス情報を取得し、且つ周波数パーティションの送信パワー配置インデックステーブルを探して前記インデックス情報に対応する周波数パーティションの送信パワーＰ１、Ｐ２、Ｐ３及びＰ４を見つける。
【０２５６】
前記のように、本発明実施例が提供した技術スキームによって、基地局が各ＦＰの送信パワーに応じてダウンリンクチャネルを介して各ＦＰで参照信号を送信し、これによって、端末が参照信号を介して各周波数パーティションのチャネル品質情報を測定し、これで端末において測定したチャネル品質情報の正確度を向上させた。且つ、本発明実施例では、端末に、時間周波数リソースでサービス基地局以外の他の基地局の信号を受信させるように、端末のサービス基地局は該所定時間周波数リソースで何れかの情報も送信しなく、これでこの時間周波数リソースでの干渉強度を正確に測定できる。また、本発明実施例では、基地局により端末に各周波数パーティションの送信パワーレベルの指示情報を通知し、よって、端末が各周波数パーティションの送信パワー配置を取得でき、これで端末が各周波数パーティションのチャネル品質を測定する正確度を向上させた。
【０２５７】
以上は本発明の好ましい実施例であり、本発明を限定するものではない。当業者であれば、本発明に、各種の変更と変化をもたらすことが可能である。本発明の精神と原則から逸脱しない範囲内で行われる如何なる変更や同等置換または改良などは、すべて本発明の保護範囲に含まれるものとする。
【図１】
2013503521.tif 000003
【図２】
2013503521.tif 000004
【図３】
2013503521.tif 000005
【図４】
2013503521.tif 000006
【図５】
2013503521.tif 000007
【図６】
2013503521.tif 000008
【図７】
2013503521.tif 000009
【図８】
2013503521.tif 000010
【図９】
2013503521.tif 000011
【図１０】
2013503521.tif 000012
【図１１】
2013503521.tif 000013
【図１２】
2013503521.tif 000014
【図１３】
2013503521.tif 000015
【図１４】
2013503521.tif 000016
【図１５】
2013503521.tif 000017
【図１６】
2013503521.tif 000018
【図１７】
2013503521.tif 000019
【図１８】
2013503521.tif 000020
【図１９】
2013503521.tif 000021
【図２０】
2013503521.tif 000022
【図２１】
2013503521.tif 000023
【国際調査報告】
2013503521.tif 000024
2013503521.tif 000025
2013503521.tif 000026
2013503521.tif 000027
2013503521.tif 000028
2013503521.tif 000029